(57)【要約】  ワイヤレス通信のための方法、システム、および、デバイスが説明されている。ユーザ機器（ＵＥ）のような、ワイヤレスデバイスは、ページングメッセージをリッスンする前に、基地局のようなネットワークノードからウェイクアップ信号（ＷＵＳ）を受信するかもしれない。ＵＥは、基地局とＷＵＳとに関係する変数への依存性に基づいて、ＷＵＳに対する最大期間（Ｗｍａｘ）を仮定するかもしれない。いくつかのケースでは、ＵＥは、Ｗｍａｘの間に、ＷＵＳを監視しないことを決定してもよく、決定に基づいて、早期終了を行ってもよい。すなわち、ＵＥは、Ｗｍａｘより短い時間の間に、ＷＵＳを監視してもよく、ＵＥは、より短い時間が、基地局とＷＵＳとに関係する変数への依存性を有すると仮定してもよい。基地局は、暗黙的または明示的の何れかで、この依存性をＵＥに示してもよい。【選択図】図２
2021507632.tif 000002
【特許請求の範囲】
【請求項１】
ワイヤレス通信のための方法において、
ウェイクアップ信号（ＷＵＳ）に関係するスケーリングファクタの表示を基地局から受信し、前記スケーリングファクタは、ＷＵＳ送信特性に少なくとも基づいていることと、
ＷＵＳ時間期間の間に、前記ＷＵＳ送信特性にしたがっている前記ＷＵＳを前記基地局から受信し、前記ＷＵＳ時間期間は、前記スケーリングファクタと関係する制御チャネル反復パラメータとに少なくとも基づいていることと、
前記受信したＷＵＳに少なくとも基づいて、スケジューリング情報のために、前記基地局からのダウンリンクチャネルを監視し、前記スケジューリング情報は、前記基地局からのページングメッセージのための情報を含むこととを含む方法。
【請求項２】
前記ＷＵＳ時間期間の表示を前記基地局から受信することをさらに含む請求項１記載の方法。
【請求項３】
基準信号の信号品質と検出しきい値の確率とに少なくとも基づいて、ＷＵＳ受信期間を決定することをさらに含み、前記ＷＵＳ受信期間は、前記ＷＵＳ時間期間よりも短い請求項１記載の方法。
【請求項４】
前記ＷＵＳ受信期間は、前記ＷＵＳ送信特性に少なくとも基づいて決定される請求項３記載の方法。
【請求項５】
前記基準信号を前記基地局から受信することと、
前記基準信号の信号品質を測定することとをさらに含む請求項３記載の方法。
【請求項６】
前記スケーリングファクタの表示を受信することは、
前記スケーリングファクタの表示、前記スケーリングファクタの値、または、これらの組み合わせ、を含むシステム情報ブロック（ＳＩＢ）を受信することを含む請求項１記載の方法。
【請求項７】
前記ＳＩＢ中で、前記ＷＵＳに対する電力オフセットパラメータを受信することをさらに含む請求項６記載の方法。
【請求項８】
電力比を構成するために、上位レイヤシグナリングが受信されていないことを決定することをさらに含み、
前記電力オフセットパラメータは、狭帯域基準信号と前記ＷＵＳとの間の固定電力比を含む請求項７記載の方法。
【請求項９】
電力比を構成するために、上位レイヤシグナリングが受信されていないことを決定することをさらに含み、
前記電力オフセットパラメータは、セル特有基準信号と前記ＷＵＳとの間の固定電力比を含み、前記ＷＵＳは、マシンタイプ通信（ＭＴＣ）に関係する請求項７記載の方法。
【請求項１０】
関係する制御チャネルの最大反復と前記スケーリングファクタとの比に少なくとも基づいて、最大ＷＵＳ時間期間を決定することをさらに含み、
前記ＷＵＳ時間期間は、前記最大ＷＵＳ時間期間に少なくとも基づいており、前記関係する制御チャネル反復パラメータは、ページングのための関係する狭帯域制御チャネルの反復の最大数に対応する請求項１記載の方法。
【請求項１１】
前記ＷＵＳの送信のための送信ダイバーシティディメンションの表示を前記基地局から受信することをさらに含む請求項１記載の方法。
【請求項１２】
前記送信ダイバーシティディメンションは、２つのサブフレームごとに１つのアンテナポート上で切り替わるアンテナの数により、または、２つのサブフレームごとにすべてのアンテナポート上で切り替わるアンテナの数により、決定される請求項１１記載の方法。
【請求項１３】
前記ＷＵＳ時間期間は、予め定められた最大ＷＵＳ時間期間に少なくとも基づいて決定される請求項１記載の方法。
【請求項１４】
前記ＷＵＳ送信特性は、ＷＵＳ送信電力、ＷＵＳ送信ダイバーシティスキーム、ＷＵＳ受信前のレガシー同期信号検出の表示、前記ＷＵＳと狭帯域基準信号との間の電力比、ＵＥに関係する最大結合損失（ＭＣＬ）、または、これらの組み合わせを含む請求項１記載の方法。
【請求項１５】
信号対雑音比（ＳＮＲ）が、前記ＷＵＳと狭帯域基準信号との間の電力比に少なくとも基づいて決定され、前記ＳＮＲに少なくとも基づいて、前記ＷＵＳに対して、単一ポートＳＮＲが推定される請求項１記載の方法。
【請求項１６】
前記スケーリングファクタは、各パターンが固定基本単位の数と送信ダイバーシティディメンションとを規定する、固定パターンのパターンインデックスを含む、または、前記固定基本単位の数と前記送信ダイバーシティディメンションとを含む、送信ダイバーシティスキームに少なくとも部分的に基づいている請求項１記載の方法。
【請求項１７】
前記固定基本単位は、サブフレーム、１ミリ秒送信時間間隔（ＴＴＩ）、スロット、または、ミニスロットの数を含む請求項１６記載の方法。
【請求項１８】
システム情報ブロック（ＳＩＢ）中で、狭帯域制御チャネル送信の反復の最大数を受信することをさらに含み、
前記ＷＵＳ時間期間は、前記狭帯域制御チャネル送信の反復の最大数に少なくとも基づいて決定される請求項１記載の方法。
【請求項１９】
ＵＥに関係するターゲット信号対雑音比（ＳＮＲ）または最大結合損失（ＭＣＬ）に少なくとも基づいて、早期終了期間を決定することをさらに含み、
前記ＷＵＳ時間期間は、前記早期終了期間に少なくとも基づいている請求項１記載の方法。
【請求項２０】
ワイヤレス通信のための方法において、
ウェイクアップ信号（ＷＵＳ）に関係するスケーリングファクタの表示をユーザ機器（ＵＥ）に送信し、前記スケーリングファクタは、ＷＵＳ送信特性に少なくとも基づいて決定されることと、
ＷＵＳ時間期間の間に、前記ＷＵＳ送信特性にしたがっている前記ＷＵＳを前記ＵＥに送信し、前記ＷＵＳ時間期間は、前記スケーリングファクタと関係する制御チャネル反復パラメータとに少なくとも基づいて決定されることとを含む方法。
【請求項２１】
前記ＷＵＳ時間期間の表示を前記ＵＥに送信することをさらに含み、
前記ＷＵＳ時間期間は、前記ＵＥに関係するターゲット信号対雑音比（ＳＮＲ）または最大結合損失（ＭＣＬ）に少なくとも基づいている請求項２０記載の方法。
【請求項２２】
基準信号を前記ＵＥに送信することをさらに含み、
前記ＷＵＳ時間期間は、前記基準信号の信号品質と検出しきい値の確率とに少なくとも基づいている請求項２０記載の方法。
【請求項２３】
前記基準信号は、狭帯域基準信号またはセル特有基準信号を含む請求項２２記載の方法。
【請求項２４】
前記スケーリングファクタの表示を送信することは、
前記スケーリングファクタの表示、前記スケーリングファクタの値、または、これらの組み合わせ、を含むシステム情報ブロック（ＳＩＢ）を送信することを含む請求項２０記載の方法。
【請求項２５】
前記ＳＩＢは、狭帯域基準信号と前記ＷＵＳとの間の電力比を示す電力オフセットパラメータをさらに含む請求項２４記載の方法。
【請求項２６】
前記ＷＵＳの送信のための送信ダイバーシティディメンションの表示を前記ＵＥに送信することをさらに含む請求項２０記載の方法。
【請求項２７】
２つのサブフレームごとに１つのアンテナポート上で切り替わるアンテナの数に、または、２つのサブフレームごとにすべてのアンテナポート上で切り替わるアンテナの数に少なくとも基づいて、前記送信ダイバーシティディメンションを決定することをさらに含む請求項２６記載の方法。
【請求項２８】
前記ＷＵＳ時間期間は、予め定められた最大ＷＵＳ時間期間に少なくとも基づいて決定される請求項２０記載の方法。
【請求項２９】
前記ＷＵＳ送信特性は、ＷＵＳ送信電力、ＷＵＳ送信ダイバーシティスキーム、ＷＵＳ検出前の前記ＵＥのレガシー同期信号検出の表示、前記ＷＵＳと狭帯域基準信号との間の電力比、前記ＵＥに関係する最大結合損失（ＭＣＬ）、または、これらの組み合わせを含む請求項２０記載の方法。
【請求項３０】
信号対雑音比（ＳＮＲ）が、前記ＷＵＳと狭帯域基準信号との間の電力比に少なくとも基づいて決定され、前記ＳＮＲに少なくとも基づいて、前記ＷＵＳに対して、単一ポートＳＮＲが推定される請求項２９記載の方法。
【請求項３１】
前記スケーリングファクタは、各パターンが固定基本単位の数と送信ダイバーシティディメンションとを規定する、固定パターンのパターンインデックスを含む、または、前記固定基本単位の数と前記送信ダイバーシティディメンションとを含む、送信ダイバーシティスキームに少なくとも基づいている請求項２９記載の方法。
【請求項３２】
前記固定基本単位は、サブフレーム、１ミリ秒送信時間間隔（ＴＴＩ）、スロット、または、ミニスロットの数を含む請求項３１記載の方法。
【請求項３３】
システム情報ブロック（ＳＩＢ）中で、狭帯域制御チャネル送信の反復の最大数を送信することをさらに含み、
前記ＷＵＳ時間期間は、前記狭帯域制御チャネル送信の反復の最大数に少なくとも基づいている請求項２０記載の方法。
【請求項３４】
前記ＵＥに対する信号対雑音比（ＳＮＲ）を識別することをさらに含み、前記スケーリングファクタは、前記ＳＮＲに少なくとも基づいて決定される請求項２０記載の方法。
【請求項３５】
ワイヤレス通信のための装置において、
プロセッサと、
前記プロセッサと電子通信するメモリと、
前記メモリ中に記憶されている命令とを具備し、
前記命令は、前記装置に、
ウェイクアップ信号（ＷＵＳ）に関係するスケーリングファクタの表示を基地局から受信させ、前記スケーリングファクタは、ＷＵＳ送信特性に少なくとも基づいており、
ＷＵＳ時間期間の間に、前記ＷＵＳ送信特性にしたがっている前記ＷＵＳを前記基地局から受信させ、前記ＷＵＳ時間期間は、前記スケーリングファクタと関係する制御チャネル反復パラメータとに少なくとも基づいており、
前記受信したＷＵＳに少なくとも基づいて、スケジューリング情報のために、前記基地局からのダウンリンクチャネルを監視させ、前記スケジューリング情報は、前記基地局からのページングメッセージのための情報を含む、
ように、前記プロセッサにより実行可能である装置。
【請求項３６】
前記命令は、前記装置に、前記ＷＵＳ時間期間の表示を前記基地局から受信させるように、前記プロセッサによりさらに実行可能である請求項３５記載の装置。
【請求項３７】
前記命令は、前記装置に、基準信号の信号品質と検出しきい値の確率とに少なくとも基づいて、ＷＵＳ受信期間を決定させるように、前記プロセッサによりさらに実行可能であり、
前記ＷＵＳ受信期間は、前記ＷＵＳ時間期間よりも短い請求項３５記載の装置。
【請求項３８】
前記ＷＵＳ受信期間は、前記ＷＵＳ送信特性に少なくとも基づいて決定される請求項３７記載の装置。
【請求項３９】
前記命令は、前記装置に、
前記基準信号を前記基地局から受信させ、
前記基準信号の信号品質を測定させるように、
前記プロセッサによりさらに実行可能である請求項３７記載の装置。
【請求項４０】
前記スケーリングファクタの表示を受信させる命令は、前記装置に、
前記スケーリングファクタの表示、前記スケーリングファクタの値、または、これらの組み合わせ、を含むシステム情報ブロック（ＳＩＢ）を受信させるように、前記プロセッサにより実行可能である請求項３５記載の装置。
【請求項４１】
前記命令は、前記装置に、前記ＳＩＢ中で、前記ＷＵＳに対する電力オフセットパラメータを受信させるように、前記プロセッサによりさらに実行可能である請求項４０記載の装置。
【請求項４２】
前記命令は、前記装置に、電力比を構成するために、上位レイヤシグナリングが受信されていないことを決定させるように、前記プロセッサによりさらに実行可能であり、
前記電力オフセットパラメータは、狭帯域基準信号と前記ＷＵＳとの間の固定電力比を含む請求項４１記載の装置。
【請求項４３】
前記命令は、前記装置に、電力比を構成するために、上位レイヤシグナリングが受信されていないことを決定させるように、前記プロセッサによりさらに実行可能であり、
前記電力オフセットパラメータは、セル特有基準信号と前記ＷＵＳとの間の固定電力比を含み、前記ＷＵＳは、マシンタイプ通信（ＭＴＣ）に関係する請求項４１記載の装置。
【請求項４４】
前記命令は、前記装置に、関係する制御チャネルの最大反復と前記スケーリングファクタとの比に少なくとも基づいて、最大ＷＵＳ時間期間を決定させるように、前記プロセッサによりさらに実行可能であり、
前記ＷＵＳ時間期間は、前記最大ＷＵＳ時間期間に少なくとも基づいており、前記関係する制御チャネル反復パラメータは、ページングのための関係する狭帯域制御チャネルの反復の最大数に対応する請求項３５記載の装置。
【請求項４５】
前記命令は、前記装置に、前記ＷＵＳの送信のための送信ダイバーシティディメンションの表示を前記基地局から受信させるように、前記プロセッサによりさらに実行可能であり、
前記送信ダイバーシティディメンションは、２つのサブフレームごとに１つのアンテナポート上で切り替わるアンテナの数により、または、２つのサブフレームごとにすべてのアンテナポート上で切り替わるアンテナの数により、決定される請求項３５記載の装置。
【請求項４６】
前記ＷＵＳ時間期間は、予め定められた最大ＷＵＳ時間期間に少なくとも基づいて決定される請求項３５記載の装置。
【請求項４７】
前記ＷＵＳ送信特性は、ＷＵＳ送信電力、ＷＵＳ送信ダイバーシティスキーム、ＷＵＳ受信前のレガシー同期信号検出の表示、前記ＷＵＳと狭帯域基準信号との間の電力比、ＵＥに関係する最大結合損失（ＭＣＬ）、または、これらの組み合わせを含む請求項３５記載の装置。
【請求項４８】
信号対雑音比（ＳＮＲ）が、前記ＷＵＳと狭帯域基準信号との間の電力比に少なくとも基づいて決定され、前記ＳＮＲに少なくとも基づいて、前記ＷＵＳに対して、単一ポートＳＮＲが推定される請求項４７記載の装置。
【請求項４９】
前記スケーリングファクタは、各パターンが固定基本単位の数と送信ダイバーシティディメンションとを規定する、固定パターンのパターンインデックスを含む、または、前記固定基本単位の数と前記送信ダイバーシティディメンションとを含む、送信ダイバーシティスキームに少なくとも基づいており、
前記固定基本単位は、サブフレーム、１ミリ秒送信時間間隔（ＴＴＩ）、スロット、または、ミニスロットの数を含む請求項４７記載の装置。
【請求項５０】
前記命令は、前記装置に、システム情報ブロック（ＳＩＢ）中で、狭帯域制御チャネル送信の反復の最大数を受信させるように、前記プロセッサによりさらに実行可能であり、
前記ＷＵＳ時間期間は、前記狭帯域制御チャネル送信の反復の最大数に少なくとも基づいて決定される請求項３５記載の装置。
【請求項５１】
前記命令は、前記装置に、ＵＥに関係するターゲット信号対雑音比（ＳＮＲ）または最大結合損失（ＭＣＬ）に少なくとも基づいて、早期終了期間を決定させるように、前記プロセッサによりさらに実行可能であり、
前記ＷＵＳ時間期間は、前記早期終了期間に少なくとも基づいている請求項３５記載の装置。
【請求項５２】
ワイヤレス通信のための装置において、
プロセッサと、
前記プロセッサと電子通信するメモリと、
前記メモリ中に記憶されている命令とを具備し、
前記命令は、前記装置に、
ウェイクアップ信号（ＷＵＳ）に関係するスケーリングファクタの表示をユーザ機器（ＵＥ）に送信させ、前記スケーリングファクタは、ＷＵＳ送信特性に少なくとも基づいて決定され、
ＷＵＳ時間期間の間に、前記ＷＵＳ送信特性にしたがっている前記ＷＵＳを前記ＵＥに送信させ、前記ＷＵＳ時間期間は、前記スケーリングファクタと関係する制御チャネル反復パラメータとに少なくとも基づいて決定される、
ように、前記プロセッサにより実行可能である装置。
【請求項５３】
前記命令は、前記装置に、前記ＷＵＳ時間期間の表示を前記ＵＥに送信させるように、前記プロセッサによりさらに実行可能であり、
前記ＷＵＳ時間期間は、前記ＵＥに関係するターゲット信号対雑音比（ＳＮＲ）または最大結合損失（ＭＣＬ）に少なくとも基づいている請求項５２記載の装置。
【請求項５４】
前記命令は、前記装置に、基準信号を前記ＵＥに送信させるように、前記プロセッサによりさらに実行可能であり、
前記ＷＵＳ時間期間は、前記基準信号の信号品質と検出しきい値の確率とに少なくとも基づいており、前記基準信号は、狭帯域基準信号またはセル特有基準信号を含む請求項５２記載の装置。
【請求項５５】
前記スケーリングファクタの表示を送信させる命令は、前記装置に、
前記スケーリングファクタの表示、前記スケーリングファクタの値、または、これらの組み合わせ、を含むシステム情報ブロック（ＳＩＢ）を送信させるように、前記プロセッサにより実行可能である請求項５２記載の装置。
【請求項５６】
前記ＳＩＢは、狭帯域基準信号と前記ＷＵＳとの間の電力比を示す電力オフセットパラメータをさらに含む請求項５５記載の装置。
【請求項５７】
前記命令は、前記装置に、前記ＷＵＳの送信のための送信ダイバーシティディメンションの表示を前記ＵＥに送信させるように、前記プロセッサによりさらに実行可能であり、
前記送信ダイバーシティディメンションは、２つのサブフレームごとに１つのアンテナポート上で切り替わるアンテナの数に、または、２つのサブフレームごとにすべてのアンテナポート上で切り替わるアンテナの数に少なくとも基づいている請求項５２記載の装置。
【請求項５８】
前記ＷＵＳ時間期間は、予め定められた最大ＷＵＳ時間期間に少なくとも基づいて決定される請求項５２記載の装置。
【請求項５９】
前記ＷＵＳ送信特性は、ＷＵＳ送信電力、ＷＵＳ送信ダイバーシティスキーム、ＷＵＳ検出前の前記ＵＥのレガシー同期信号検出の表示、前記ＷＵＳと狭帯域基準信号との間の電力比、前記ＵＥに関係する最大結合損失（ＭＣＬ）、または、これらの組み合わせを含む請求項５２記載の装置。
【請求項６０】
信号対雑音比（ＳＮＲ）が、前記ＷＵＳと狭帯域基準信号との間の電力比に少なくとも基づいて決定され、前記ＳＮＲに少なくとも基づいて、前記ＷＵＳに対して、単一ポートＳＮＲが推定される請求項５９記載の装置。
【請求項６１】
前記スケーリングファクタは、各パターンが固定基本単位の数と送信ダイバーシティディメンションとを規定する、固定パターンのパターンインデックスを含む、または、前記固定基本単位の数と前記送信ダイバーシティディメンションとを含む、送信ダイバーシティスキームに少なくとも基づいており、
前記固定基本単位は、サブフレーム、１ミリ秒送信時間間隔（ＴＴＩ）、スロット、または、ミニスロットの数を含む請求項５９記載の装置。
【請求項６２】
前記命令は、前記装置に、システム情報ブロック（ＳＩＢ）中で、狭帯域制御チャネル送信の反復の最大数を送信させるように、前記プロセッサによりさらに実行可能であり、
前記ＷＵＳ時間期間は、前記狭帯域制御チャネル送信の反復の最大数に少なくとも基づいている請求項５２記載の装置。
【請求項６３】
前記命令は、前記装置に、前記ＵＥに対する信号対雑音比（ＳＮＲ）を識別させるように、前記プロセッサによりさらに実行可能であり、
前記スケーリングファクタは、前記ＳＮＲに少なくとも基づいて決定される請求項５２記載の装置。
【請求項６４】
ワイヤレス通信のための装置において、
ウェイクアップ信号（ＷＵＳ）に関係するスケーリングファクタの表示を基地局から受信し、前記スケーリングファクタは、ＷＵＳ送信特性に少なくとも基づいている手段と、
ＷＵＳ時間期間の間に、前記ＷＵＳ送信特性にしたがっている前記ＷＵＳを前記基地局から受信し、前記ＷＵＳ時間期間は、前記スケーリングファクタと関係する制御チャネル反復パラメータとに少なくとも基づいて決定される手段と、
前記受信したＷＵＳに少なくとも基づいて、スケジューリング情報のために、前記基地局からのダウンリンクチャネルを監視し、前記スケジューリング情報は、前記基地局からのページングメッセージのための情報を含む手段とを具備する装置。
【請求項６５】
前記スケーリングファクタの表示を受信する手段は、
前記スケーリングファクタの表示、前記スケーリングファクタの値、または、これらの組み合わせ、を含むシステム情報ブロック（ＳＩＢ）を受信する手段を備える請求項６４記載の装置。
【請求項６６】
前記ＷＵＳの送信のための送信ダイバーシティディメンションの表示を前記基地局から受信する手段をさらに具備する請求項６４記載の装置。
【請求項６７】
システム情報ブロック（ＳＩＢ）中で、狭帯域制御チャネル送信の反復の最大数を受信する手段をさらに具備し、
前記ＷＵＳの期間は、前記狭帯域制御チャネル送信の反復の最大数に少なくとも基づいて決定される請求項６４記載の装置。
【請求項６８】
ワイヤレス通信のための装置において、
ウェイクアップ信号（ＷＵＳ）に関係するスケーリングファクタの表示をユーザ機器（ＵＥ）に送信し、前記スケーリングファクタは、ＷＵＳ送信特性に少なくとも基づいて決定される手段と、
ＷＵＳ時間期間の間に、前記ＷＵＳ送信特性にしたがっている前記ＷＵＳを前記ＵＥに送信し、前記ＷＵＳ時間期間は、前記スケーリングファクタと関係する制御チャネル反復パラメータとに少なくとも基づいて決定される手段とを具備する装置。
【請求項６９】
前記スケーリングファクタの表示を送信する手段は、
前記スケーリングファクタの表示、前記スケーリングファクタの値、または、これらの組み合わせ、を含むシステム情報ブロック（ＳＩＢ）を送信する手段を備える請求項６８記載の装置。
【請求項７０】
前記ＷＵＳの送信のための送信ダイバーシティディメンションの表示を前記ＵＥに送信する手段をさらに具備する請求項６８記載の装置。
【請求項７１】
システム情報ブロック（ＳＩＢ）中で、狭帯域制御チャネル送信の反復の最大数を送信する手段をさらに具備し、
前記ＷＵＳ時間期間は、前記狭帯域制御チャネル送信の反復の最大数に少なくとも基づいている請求項６８記載の装置。
【請求項７２】
ワイヤレス通信のためのコードを記憶している非一時的コンピュータ読取可能媒体において、
前記コードは、
ウェイクアップ信号（ＷＵＳ）に関係するスケーリングファクタの表示を基地局から受信し、前記スケーリングファクタは、ＷＵＳ送信特性に少なくとも基づいており、
ＷＵＳ時間期間の間に、前記ＷＵＳ送信特性にしたがっている前記ＷＵＳを前記基地局から受信し、前記ＷＵＳ時間期間は、前記スケーリングファクタと関係する制御チャネル反復パラメータとに少なくとも基づいて決定され、
前記受信したＷＵＳに少なくとも基づいて、スケジューリング情報のために、前記基地局からのダウンリンクチャネルを監視し、前記スケジューリング情報は、前記基地局からのページングメッセージのための情報を含む、
ように、プロセッサにより実行可能な命令を含む非一時的コンピュータ読取可能媒体。
【請求項７３】
前記スケーリングファクタの表示を受信する命令は、
前記スケーリングファクタの表示、前記スケーリングファクタの値、または、これらの組み合わせ、を含むシステム情報ブロック（ＳＩＢ）を受信するように、前記プロセッサにより実行可能である請求項７２記載の非一時的コンピュータ読取可能媒体。
【請求項７４】
前記命令は、前記ＷＵＳの送信のための送信ダイバーシティディメンションの表示を前記基地局から受信するように、前記プロセッサによりさらに実行可能である請求項７２記載の非一時的コンピュータ読取可能媒体。
【請求項７５】
前記命令は、システム情報ブロック（ＳＩＢ）中で、狭帯域制御チャネル送信の反復の最大数を受信するように、前記プロセッサによりさらに実行可能であり、
前記ＷＵＳ時間期間は、前記狭帯域制御チャネル送信の反復の最大数に少なくとも基づいて決定される請求項７２記載の非一時的コンピュータ読取可能媒体。
【請求項７６】
ワイヤレス通信のためのコードを記憶している非一時的コンピュータ読取可能媒体において、
前記コードは、
ウェイクアップ信号（ＷＵＳ）に関係するスケーリングファクタの表示をユーザ機器（ＵＥ）に送信し、前記スケーリングファクタは、ＷＵＳ送信特性に少なくとも基づいて決定され、
ＷＵＳ時間期間の間に、前記ＷＵＳ送信特性にしたがっている前記ＷＵＳを前記ＵＥに送信し、前記ＷＵＳ時間期間は、前記スケーリングファクタと関係する制御チャネル反復パラメータとに少なくとも基づいて決定される、
ように、プロセッサにより実行可能な命令を含む非一時的コンピュータ読取可能媒体。
【請求項７７】
前記スケーリングファクタの表示を送信する命令は、
前記スケーリングファクタの表示、前記スケーリングファクタの値、または、これらの組み合わせ、を含むシステム情報ブロック（ＳＩＢ）を送信するように、前記プロセッサにより実行可能である請求項７６記載の非一時的コンピュータ読取可能媒体。
【請求項７８】
前記命令は、前記ＷＵＳの送信のための送信ダイバーシティディメンションの表示を前記ＵＥに送信するように、前記プロセッサによりさらに実行可能である請求項７６記載の非一時的コンピュータ読取可能媒体。
【請求項７９】
前記命令は、システム情報ブロック（ＳＩＢ）中で、狭帯域制御チャネル送信の反復の最大数を送信するように、前記プロセッサによりさらに実行可能であり、
前記ＷＵＳ時間期間は、前記狭帯域制御チャネル送信の反復の最大数に少なくとも基づいている請求項７６記載の非一時的コンピュータ読取可能媒体。
【発明の詳細な説明】
【相互参照】
【０００１】
［０００１］
本特許出願は、２０１８年１２月１８日に出願され、「ワイヤレス通信のためのウェイクアップ信号コンフィギュレーション」と題する、ＬＩＵ氏らによる米国特許出願第１６／２２４，６７９号、および、２０１７年１２月２１日に出願され、「ワイヤレス通信のためのウェイクアップ信号コンフィギュレーション」と題する、ＬＩＵ氏らによる米国仮特許出願第６２／６０９，１７８号の利益を主張し、このそれぞれは、本明細書の譲受人に譲渡され、本明細書に明示的に組み込まれている。
【背景】
【０００２】
［０００２］
以下は、一般的に、ワイヤレス通信に関し、より具体的には、ワイヤレス通信のためのウェイクアップ信号コンフィギュレーションに関する。
【０００３】
［０００３］
ワイヤレス通信システムは、音声、ビデオ、パケットデータ、メッセージング、ブロードキャストなど、さまざまなタイプの通信コンテンツを提供するために広く配備されている。これらのシステムは、利用可能なシステムリソース（例えば、時間、周波数、および、電力）を共有することにより、複数のユーザとの通信をサポートすることが可能であるかもしれない。このような多元接続システムの例は、ロングタームエボリューション（ＬＴＥ（登録商標））システム、ＬＴＥアドバンスト（ＬＴＥ−Ａ）システム、または、ＬＴＥ−Ａプロシステムのような第４世代（４Ｇ）システムと、新しい無線（ＮＲ）システムとして呼ばれることがある第５世代（５Ｇ）システムとを含んでいる。これらのシステムは、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、または、離散フーリエ変換−拡散ＯＦＤＭ（ＤＦＴ−Ｓ−ＯＦＤＭ）のような、技術を用いてもよい。ワイヤレス多元接続通信システムは、多数の基地局またはネットワークアクセスノードを含んでいてもよく、各基地局またはネットワークアクセスノードは、複数の通信デバイスのための通信を同時にサポートし、複数の通信デバイスは、さもなければ、ユーザ機器（ＵＥ）として知られているかもしれない。
【０００４】
［０００４］
いくつかのワイヤレス通信システム（例えば、インターネットオブシングス（ＩｏＴ）または拡張マシンタイプ通信（ｅＭＴＣ））では、基地局は、間欠ベースでＵＥにデータを送信してもよい。したがって、基地局は、データおよび／またはシステム情報送信の前に、ダウンリンクチャネル中でページングメッセージを送信することにより、データおよび／または制御情報がＵＥに対して利用可能であることをＵＥにシグナリングしてもよい。いくつかのケースでは、基地局およびＵＥは、アイドルモードページングのために、ウェイクアップ信号（ＷＵＳ）のような、電力セーブ信号を利用してもよい。例えば、ＵＥは、ＷＵＳを受信すると、スリープ状態から起動して、基地局からの（ページングメッセージのような）ダウンリンク送信を監視してもよい。ＷＵＳは、（例えば、ページングメッセージが受信されない場合）ＵＥがスリープ状態に戻る前にダウンリンクチャネルをどのくらい長く監視していてもよいのかを示す最大期間を有していてもよい。しかしながら、最大期間を待つことは、ＵＥのバッテリ寿命を短縮するかもしれない。バッテリ寿命の延長およびワイヤレスデバイスにおける電力消費を低減するのを助けることができる、ＷＵＳの期間を示すための改良された技法が望まれる。
【概要】
【０００５】
［０００５］
説明する技法は、ワイヤレス通信のためのウェイクアップ信号（ＷＵＳ）コンフィギュレーションをサポートする、改善された方法、システム、デバイス、または、装置に関する。一般的に、説明する技法は、ＷＵＳに対するスケーリングファクタをユーザ機器（ＵＥ）に提供する基地局を提供する。スケーリングファクタは、ＷＵＳを送信するために基地局により使用される送信電力を、および／または、ＷＵＳの送信のために使用される送信ダイバーシティスキームを含んでいてもよく、または、これらを示してもよい。したがって、スケーリングファクタは、ＷＵＳの以下の特性、ＷＵＳの送信のために構成された時間単位（例えば、サブフレーム、スロット、ミニスロット）の数、ＷＵＳの送信のために使用されるアンテナポートの数に対応する送信ダイバーシティディメンション、または、レガシー同期信号の検出より前に、ＷＵＳが検出されるかもしれないか否か、のうちの１つ以上をＵＥに示してもよい。いくつかの例では、スケーリングファクタは、ＷＵＳと狭帯域基準信号との間の電力比、最大結合損失（ＭＣＬ）、または、これらの組み合わせ、を示していてもよく、または、これらを含んでいてもよい。スケーリングファクタは、（例えば、ブロードキャストチャネルを介して送信される）システム情報ブロック（ＳＩＢ）を介してなど、システム情報を介して、基地局により示されるかもしれない。
【０００６】
［０００６］
スケーリングファクタを使用して、ＵＥは、ＷＵＳの受信のための期間を決定してもよい。期間は、早期終了の前に、ＵＥがＷＵＳの受信を監視すべき時間期間に対応していてもよく、基準信号の信号品質と検出しきい値の確率とに基づいてもよく、これらは、関係する制御チャネル反復パラメータに基づいていてもよい。
【０００７】
［０００７］
ワイヤレス通信の方法を説明する。方法は、ＷＵＳに関係するスケーリングファクタの表示を基地局から受信し、スケーリングファクタは、ＷＵＳ送信特性に基づいていることと、ＷＵＳ時間期間の間に、ＷＵＳ送信特性にしたがっているＷＵＳを基地局から受信し、ＷＵＳ時間期間は、スケーリングファクタと関係する制御チャネル反復パラメータとに基づいて決定されることと、受信したＷＵＳに少なくとも基づいて、スケジューリング情報のために、基地局からのダウンリンクチャネルを監視し、スケジューリング情報は、基地局からのページングメッセージのための情報を含むこととを含んでいてもよい。
【０００８】
［０００８］
ワイヤレス通信のための装置を説明する。装置は、ＷＵＳに関係するスケーリングファクタの表示を基地局から受信し、スケーリングファクタは、ＷＵＳ送信特性に基づいている手段と、ＷＵＳ時間期間の間に、ＷＵＳ送信特性にしたがっているＷＵＳを基地局から受信し、ＷＵＳ時間期間は、スケーリングファクタと関係する制御チャネル反復パラメータとに基づいて決定される手段と、受信したＷＵＳに基づいて、スケジューリング情報のために、基地局からのダウンリンクチャネルを監視し、スケジューリング情報は、基地局からのページングメッセージのための情報を含む手段とを含んでいてもよい。
【０００９】
［０００９］
ワイヤレス通信のための別の装置を説明する。装置は、プロセッサと、プロセッサと電子通信するメモリと、メモリ中に記憶されている命令とを含んでいてもよい。命令は、プロセッサに、ＷＵＳに関係するスケーリングファクタの表示を基地局から受信させるように動作可能であり、スケーリングファクタは、ＷＵＳ送信特性に基づいており、ＷＵＳ時間の間に、ＷＵＳの送信特性にしたがっているＷＵＳを基地局から受信させるように動作可能であり、ＷＵＳ時間期間は、スケーリングファクタと関係する制御チャネル反復パラメータとに基づいて決定され、受信したＷＵＳに基づいて、スケジュール情報のために、基地局からのダウンリンクチャネルを監視させるように動作可能であり、スケジューリング情報は、基地局からのページング情報に対する情報を含んでいてもよい。
【００１０】
［００１０］
ワイヤレス通信のための非一時的コンピュータ読取可能媒体を説明する。非一時的コンピュータ読取可能媒体は、プロセッサに、ＷＵＳに関係するスケーリングファクタの表示を基地局から受信させるように動作可能な命令を含み、スケーリングファクタは、ＷＵＳ送信特性に基づいており、ＷＵＳ時間期間の間に、ＷＵＳ送信特性にしたがっているＷＵＳを基地局から受信させるように動作可能な命令を含み、ＷＵＳ時間期間は、スケーリングファクタと関係する制御チャネル反復パラメータとに基づいて決定され、受信したＷＵＳに基づいて、スケジュール情報のために、基地局からのダウンリンクチャネルを監視させるように動作可能な命令を含み、スケジューリング情報は、基地局からのページング情報に対する情報を含んでいてもよい。
【００１１】
［００１１］
上記で説明した方法、装置、および、非一時的コンピュータ読取可能媒体のいくつかの例は、ＷＵＳ時間期間の表示を基地局から受信するためのプロセス、特徴、手段、または、命令をさらに含んでいてもよい。
【００１２】
［００１２］
上記で説明した方法、装置、および、非一時的コンピュータ読取可能媒体のいくつかの例は、基準信号の信号品質と検出しきい値の確率とに基づいて、ＷＵＳ受信期間を決定するためのプロセス、特徴、手段、または、命令をさらに含んでいてもよく、ＷＵＳ受信期間は、ＷＵＳ時間期間未満である。
【００１３】
［００１３］
上記で説明した方法、装置、および、非一時的コンピュータ読取可能媒体のいくつかの例では、ＷＵＳ受信期間は、ＷＵＳ送信特性に基づいて決定されてもよい。
【００１４】
［００１４］
上記で説明した方法、装置、および、非一時的コンピュータ読取可能媒体のいくつかの例は、基準信号を基地局から受信するためのプロセス、特徴、手段、または、命令をさらに含んでいてもよい。上記で説明した方法、装置、および、非一時的コンピュータ読取可能媒体のいくつかの例は、基準信号の信号品質を測定するためのプロセス、特徴、手段、または、命令をさらに含んでいてもよい。
【００１５】
［００１５］
上記で説明した方法、装置、および、非一時的コンピュータ読取可能媒体のいくつかの例では、スケーリングファクタの表示は、ＷＵＳ送信スキームを含んでいる。
【００１６】
［００１６］
上記で説明した方法、装置、および、非一時的コンピュータ読取可能媒体のいくつかの例は、ＷＵＳ送信スキームに基づいて、ＷＵＳに関係するスケーリングファクタを決定するためのプロセス、特徴、手段、または、命令をさらに含んでいてもよい。
【００１７】
［００１７］
上記で説明した方法、装置、および、非一時的コンピュータ読取可能媒体のいくつかの例では、スケーリングファクタの表示を受信することは、スケーリングファクタの表示、スケーリングファクタの値、または、これらの組み合わせを含む、ＳＩＢを受信することを含んでいる。
【００１８】
［００１８］
上記で説明した方法、装置、および、非一時的コンピュータ読取可能媒体のいくつかの例は、ＳＩＢ中で、ＷＵＳに対する電力オフセットパラメータを受信するためのプロセス、特徴、手段、または、命令をさらに含んでいてもよい。上記の方法、装置、および、非一時的コンピュータ読取可能媒体のいくつかの例は、電力比を構成するために、上位レイヤシグナリングが受信されていないことを決定するためのプロセス、特徴、手段、または、命令をさらに含んでいてもよく、電力オフセットパラメータは、狭帯域基準信号とＷＵＳとの間の固定電力比を含んでいる。追加的または代替的に、上記で説明した方法、装置、および、非一時的コンピュータ読取可能媒体のいくつかの例は、電力比を構成するために、上位レイヤシグナリングが受信されていないことを決定するためのプロセス、特徴、手段、または、命令をさらに含んでいてもよく、電力オフセットパラメータは、セル特有基準信号とＷＵＳとの間の固定電力比を含み、ＷＵＳは、マシンタイプ通信（ＭＴＣ）に関係している。
【００１９】
［００１９］
上記で説明した方法、装置、および、非一時的コンピュータ読取可能媒体のいくつかの例は、関係する制御チャネル反復パラメータ（例えば、関係する制御チャネルの最大反復）とスケーリングファクタとの比に基づいて、最大ＷＵＳ時間期間を決定するためのプロセス、特徴、手段、または、命令をさらに含んでいてもよく、ＷＵＳ時間期間は、最大ＷＵＳ時間期間に基づいている。上記で説明した方法、装置、および、非一時的コンピュータ読取可能媒体のいくつかの例では、関係する制御チャネル反復パラメータは、ページングのための関係する狭帯域制御チャネルの反復の最大数に対応していてもよい。
【００２０】
［００２０］
上記で説明した方法、装置、および、非一時的コンピュータ読取可能媒体のいくつかの例は、ＷＵＳの送信のための送信ダイバーシティディメンションの表示を基地局から受信するためのプロセス、特徴、手段、または、命令をさらに含んでいてもよい。
【００２１】
［００２１］
上記で説明した方法、装置、および、非一時的コンピュータ読取可能媒体のいくつかの例では、送信ダイバーシティディメンションは、構成された単位（例えば、２つのサブフレーム）ごとに１つのアンテナポート上で切り替わるアンテナの数により、または、構成された単位（例えば、２つのサブフレーム）ごとにすべてのアンテナポート上で切り替わるアンテナの数により、決定されてもよく、構成された単位は、ＷＵＳ送信のための固定基本単位の数を含んでいる。
【００２２】
［００２２］
上記で説明した方法、装置、および、非一時的コンピュータ読取可能媒体のいくつかの例では、ＷＵＳ時間期間は、予め定められた最大ＷＵＳ時間期間、関係する狭帯域制御チャネルの反復の最大数、ＵＥに対する関係する狭帯域制御チャネルの反復の要求された数、または、これらの組み合わせに基づいて決定されてもよい。上記で説明した方法、装置、および、非一時的コンピュータ読取可能媒体のいくつかの例では、予め定められた最大ＷＵＳ時間期間は、表により示されてもよい。
【００２３】
［００２３］
上記で説明した方法、装置、および、非一時的コンピュータ読取可能媒体のいくつかの例では、ＷＵＳ送信特性は、ＷＵＳ送信電力、ＷＵＳ送信ダイバーシティスキーム、ＷＵＳ受信前のレガシー同期信号検出の表示、ＷＵＳと狭帯域基準信号との間の電力比、ＵＥに関係するＭＣＬ、または、これらの組み合わせを含んでいる。
【００２４】
［００２４］
上記で説明した方法、装置、および、非一時的コンピュータ読取可能媒体のいくつかの例では、電力比は、リソース要素当たりのエネルギー（ＥＰＲＥ）電力比を含んでいる。上記で説明した方法、装置、および、非一時的コンピュータ読取可能媒体のいくつかの例では、信号対雑音比（ＳＮＲ）は、ＷＵＳと狭帯域基準信号との間の電力比（例えば、ＥＰＲＥ電力比）に基づいて決定されてもよく、ＳＮＲに基づいて、ＷＵＳに対して、単一ポートＳＮＲが推定されてもよい。
【００２５】
［００２５］
上記で説明した方法、装置、および、非一時的コンピュータ読取可能媒体のいくつかの例では、送信ダイバーシティスキームは、各パターンが固定基本単位の数と送信ダイバーシティディメンションとを規定する、固定パターンのパターンインデックスを含んでおり、または、固定基本単位の数と送信ダイバーシティディメンションとを含んでいる。上記で説明した方法、装置、および、非一時的コンピュータ読取可能媒体のいくつかの例では、スケーリングファクタは、各パターンが固定基本単位の数と送信ダイバーシティディメンションとを規定する、固定パターンのパターンインデックスを含む、または、固定基本単位の数と送信ダイバーシティディメンションとを含む、送信ダイバーシティスキームに基づいていてもよい。
【００２６】
［００２６］
上記で説明した方法、装置、および、非一時的コンピュータ読取可能媒体のいくつかの例では、固定基本単位が、サブフレーム、１ミリ秒（ｍｓ）送信時間間隔（ＴＴＩ）、スロット、または、ミニスロットの数を含んでいる。
【００２７】
［００２７］
上記で説明した方法、装置、および、非一時的コンピュータ読取可能媒体のいくつかの例は、ＳＩＢ中で、狭帯域制御チャネル送信の反復の最大数を受信するためのプロセス、特徴、手段、または、命令をさらに含んでいてもよく、ＷＵＳ時間期間は、狭帯域制御チャネル送信の反復の最大数に基づいて決定されてもよい。
【００２８】
［００２８］
上記で説明した方法、装置、および、非一時的コンピュータ読取可能媒体のいくつかの例では、ＷＵＳ時間期間は、最大ＷＵＳ時間期間に対応している。上記で説明した方法、装置、および、非一時的コンピュータ読取可能媒体のいくつかの例では、関係する制御チャネル反復パラメータは、ページングのための狭帯域制御チャネル上の送信の反復の最大数に対応していてもよい。
【００２９】
［００２９］
上記で説明した方法、装置、および、非一時的コンピュータ読取可能媒体のいくつかの例は、ＵＥに関係するターゲットＳＮＲまたはＭＣＬに基づいて、早期終了期間を決定するためのプロセス、特徴、手段、または、命令をさらに含んでいてもよく、ＷＵＳ時間期間は、早期終了期間に基づいている。
【００３０】
［００３０］
ワイヤレス通信の方法を説明する。方法は、ＷＵＳに関係するスケーリングファクタの表示をＵＥに送信することを含んでいてもよく、スケーリングファクタは、ＷＵＳ送信特性に基づいて決定され、ＷＵＳ時間期間の間に、ＷＵＳ送信特性にしたがっているＷＵＳをＵＥに送信することを含んでいてもよく、ＷＵＳ時間期間は、スケーリングファクタと関係する制御チャネル反復パラメータとに基づいて決定される。
【００３１】
［００３１］
ワイヤレス通信のための装置を説明する。装置は、ＷＵＳに関係するスケーリングファクタの表示をＵＥに送信する手段を含んでいてもよく、スケーリングファクタは、ＷＵＳ送信特性に基づいて決定され、ＷＵＳ時間期間の間に、ＷＵＳ送信特性にしたがっているＷＵＳをＵＥに送信する手段を含んでいてもよく、ＷＵＳ時間期間は、スケーリングファクタと関係する制御チャネル反復パラメータとに基づいて決定される。
【００３２】
［００３２］
ワイヤレス通信のための装置を説明する。装置は、プロセッサと、プロセッサと電子通信するメモリと、メモリ中に記憶されている命令とを含んでいてもよい。命令は、プロセッサに、ＷＵＳに関係するスケーリングファクタの表示をＵＥに送信させるように動作可能であってもよく、スケーリングファクタは、ＷＵＳ送信特性に基づいて決定され、ＷＵＳ時間期間の間に、ＷＵＳ送信特性にしたがっているＷＵＳをＵＥに送信させるように動作可能であってもよく、ＷＵＳ時間期間は、スケーリングファクタと関係する制御チャネル反復パラメータとに基づいて決定される。
【００３３】
［００３３］
ワイヤレス通信のための非一時的コンピュータ読取可能媒体を説明する。非一時的コンピュータ読取可能媒体は、プロセッサに、ＷＵＳに関係するスケーリングファクタの表示をＵＥに送信させるよう動作可能な命令を含んでいてもよく、スケーリングファクタは、ＷＵＳ送信特性に基づいて決定され、ＷＵＳ時間期間の間に、ＷＵＳ送信特性にしたがっているＷＵＳをＵＥに送信させるよう動作可能な命令を含んでいてもよく、ＷＵＳ時間期間は、スケーリングファクタと関係する制御チャネル反復パラメータとに基づいて決定される。
【００３４】
［００３４］
上記で説明した方法、装置、および、非一時的コンピュータ読取可能媒体のいくつかの例は、ＷＵＳ時間期間の表示をＵＥに送信するためのプロセス、特徴、手段、または、命令をさらに含んでいてもよく、ＷＵＳ時間期間は、ＵＥに関係するターゲットＳＮＲまたはＭＣＬに基づいていてもよい。
【００３５】
［００３５］
上記で説明した方法、装置、および、非一時的コンピュータ読取可能媒体のいくつかの例は、基準信号をＵＥに送信するためのプロセス、特徴、手段、または、命令をさらに含んでいてもよく、ＷＵＳ時間期間は、基準信号の信号品質と検出しきい値の確率とに基づいていてもよい。
【００３６】
［００３６］
上記で説明した方法、装置、および、非一時的コンピュータ読取可能媒体のいくつかの例では、基準信号は、狭帯域基準信号またはセル特有基準信号を含んでいる。
【００３７】
［００３７］
上記で説明した方法、装置、および、非一時的コンピュータ読取可能媒体のいくつかの例では、スケーリングファクタの表示は、ＷＵＳ送信スキームを含んでいる。
【００３８】
［００３８］
上記で説明した方法、装置、および、非一時的コンピュータ読取可能媒体のいくつかの例では、スケーリングファクタの表示を送信することは、スケーリングファクタの表示、スケーリングファクタの値、または、これらの組み合わせを含む、ＳＩＢを送信することを含んでいる。上記で説明した方法、装置、および、非一時的コンピュータ読取可能媒体のいくつかの例では、ＳＩＢを送信することは、狭帯域基準信号とＷＵＳとの間の電力比を示す電力オフセットパラメータを送信することをさらに含んでいてもよい。
【００３９】
［００３９］
上記で説明した方法、装置、および、非一時的コンピュータ読取可能媒体のいくつかの例は、ＷＵＳの送信のための送信ダイバーシティディメンションの表示をＵＥに送信するためのプロセス、特徴、手段、または、命令をさらに含んでいてもよい。
【００４０】
［００４０］
上記で説明した方法、装置、および、非一時的コンピュータ読取可能媒体のいくつかの例は、構成された単位（例えば、２つのサブフレーム）ごとに１つのアンテナポート上で切り替わるアンテナの数に、または、構成された単位（例えば、２つのサブフレーム）ごとにすべてのアンテナポート上で切り替わるアンテナの数に基づいて、送信ダイバーシティディメンションを決定するためのプロセス、特徴、手段、または、命令をさらに含んでいてもよく、構成された単位は、ＷＵＳ送信のための固定基本単位の数を含んでいる。
【００４１】
［００４１］
上記で説明した方法、装置、および、非一時的コンピュータ読取可能媒体のいくつかの例では、ＷＵＳ時間期間は、予め定められた最大ＷＵＳ時間、関係する狭帯域制御チャネルの最大数、ＵＥのための関係する狭帯域制御チャネルの反復の要求された数、または、これらの組み合わせに基づいて決定されてもよい。上記で説明した方法、装置、および、非一時的コンピュータ読取可能媒体のいくつかの例では、予め定められた最大ＷＵＳ時間期間は、表により示されてもよい。
【００４２】
［００４２］
上記で説明した方法、装置、および、非一時的コンピュータ読取可能媒体のいくつかの例では、ＷＵＳ送信特性は、ＷＵＳ送信電力、ＷＵＳ送信ダイバーシティスキーム、ＷＵＳ検出前のＵＥのレガシー同期信号検出の表示、ＷＵＳと狭帯域基準信号との間の電力比、ＵＥに関係するＭＣＬ、または、これらの組み合わせを含んでいる。
【００４３】
［００４３］
上記で説明した方法、装置、および、非一時的コンピュータ読取可能媒体のいくつかの例では、電力比は、ＥＰＲＥ電力比を含んでいる。上記で説明した方法、装置、および、非一時的コンピュータ読取可能媒体のいくつかの例では、ＳＮＲは、ＷＵＳと狭帯域基準信号との間の電力比（例えば、ＥＰＲＥ電力比）に基づいて決定されてもよく、ＳＮＲに基づいて、ＷＵＳに対して、単一ポートＳＮＲが推定される。
【００４４】
［００４４］
上記で説明した方法、装置、および、非一時的コンピュータ読取可能媒体のいくつかの例では、送信ダイバーシティスキームは、各パターンが固定基本単位の数と送信ダイバーシティディメンションとを規定する、固定パターンのパターンインデックスを含んでおり、または、固定基本単位の数と送信ダイバーシティディメンションとを含んでいる。上記で説明した方法、装置、および、非一時的コンピュータ読取可能媒体のいくつかの例では、スケーリングファクタは、各パターンが固定基本単位の数と送信ダイバーシティディメンションとを規定する、固定パターンのパターンインデックスを含む、または、固定基本単位の数と送信ダイバーシティディメンションとを含む、送信ダイバーシティスキームに基づいていてもよい。
【００４５】
［００４５］
上記で説明した方法、装置、および、非一時的コンピュータ読取可能媒体のいくつかの例では、固定基本単位は、サブフレーム、１ミリ秒ＴＴＩ、スロット、ミニスロットの数を含んでいる。
【００４６】
［００４６］
上記で説明した方法、装置、および、非一時的コンピュータ読取可能媒体のいくつかの例は、ＳＩＢ中で、狭帯域制御チャネル送信の反復の最大数を送信するためのプロセス、特徴、手段、または、命令をさらに含んでいてもよく、期間は、狭帯域制御チャネル送信の反復の最大数に基づいていてもよい。
【００４７】
［００４７］
上記で説明した方法、装置、および、非一時的コンピュータ読取可能媒体のいくつかの例では、ＷＵＳ時間期間は、最大ＷＵＳ時間期間に対応していてもよい。上記で説明した方法、装置、および、非一時的コンピュータ読取可能媒体のいくつかの例では、関係する制御チャネル反復パラメータは、ページングのための狭帯域制御チャネル上の送信の反復の最大数に対応していてもよい。
【００４８】
［００４８］
上記で説明した方法、装置、および、非一時的コンピュータ読取可能媒体のいくつかの例は、ＵＥに対するＳＮＲを識別するためのプロセス、特徴、手段、または、命令をさらに含んでいてもよく、スケーリングファクタは、ＳＮＲに基づいて決定されてもよい。
【図面の簡単な説明】
【００４９】
【図１】［００４９］  図１は、本開示の態様による、ワイヤレス通信のためのウェイクアップ信号（ＷＵＳ）コンフィギュレーションをサポートするワイヤレス通信システムの例を示している。
【図２】［００５０］  図２は、本開示の態様による、ワイヤレス通信のためのＷＵＳコンフィギュレーションをサポートするワイヤレス通信システムの例を示している。
【図３】［００５１］  図３は、本開示の態様による、ワイヤレス通信のためのＷＵＳコンフィギュレーションをサポートするプロセスフローの例を示している。
【図４】［００５２］  図４は、本開示の態様による、ワイヤレス通信のためのＷＵＳコンフィギュレーションをサポートするデバイスのブロック図を示している。
【図５】図５は、本開示の態様による、ワイヤレス通信のためのＷＵＳコンフィギュレーションをサポートするデバイスのブロック図を示している。
【図６】図６は、本開示の態様による、ワイヤレス通信のためのＷＵＳコンフィギュレーションをサポートするデバイスのブロック図を示している。
【図７】［００５３］  図７は、本開示の態様による、ワイヤレス通信のためのＷＵＳコンフィギュレーションをサポートするＵＥを含むシステムのブロック図を示している。
【図８】［００５４］  図８は、本開示の態様による、ワイヤレス通信のためのＷＵＳコンフィギュレーションをサポートするデバイスのブロック図を示している。
【図９】図９は、本開示の態様による、ワイヤレス通信のためのＷＵＳコンフィギュレーションをサポートするデバイスのブロック図を示している。
【図１０】図１０は、本開示の態様による、ワイヤレス通信のためのＷＵＳコンフィギュレーションをサポートするデバイスのブロック図を示している。
【図１１】［００５５］  図１１は、本開示の態様による、ワイヤレス通信のためのＷＵＳコンフィギュレーションをサポートする基地局を含むシステムのブロック図を示している。
【図１２】［００５６］  図１２は、本開示の態様による、ワイヤレス通信のためのＷＵＳコンフィギュレーションのための方法を示す図である。
【図１３】図１３は、本開示の態様による、ワイヤレス通信のためのＷＵＳコンフィギュレーションのための方法を示す図である。
【詳細な説明】
【００５０】
［００５７］
いくつかのワイヤレス通信システム（例えば、インターネットオブシングス（ＩｏＴ）または拡張マシンタイプ通信（ｅＭＴＣ））では、基地局は、ダウンリンクチャネル（例えば、物理ダウンリンク制御チャネル（ＰＤＣＣＨ）または狭帯域ＰＤＣＣＨ（ＮＰＤＤＣＨ））を介してユーザ機器（ＵＥ）をページングして、データおよび／または制御情報がＵＥのために利用可能であることを示してもよい。潜在的なページングメッセージを検出するために、ＵＥは、ダウンリンクチャネルを一貫して監視するかもしれない。しかしながら、ＵＥにおける電力消費を低減させるために、ページングメッセージのために、ダウンリンクチャネルのある時間周波数リソース間にのみ監視することが望ましいかもしれない。したがって、ＵＥをスリープ状態からウェイクアップさせ、対応するページング機会の間にページングメッセージのために、ダウンリンクチャネルを監視するようにＵＥに示すために、基地局は、ＵＥにウェイクアップ信号（ＷＵＳ）を送信してもよい。ＵＥがＷＵＳを受信しない場合、ダウンリンクチャネルにおいてＵＥのためのページングメッセージがないかもしれず、ＵＥは、（例えば、基地局がＷＵＳを再送信するまで）スリープ状態のままであってもよい。
【００５１】
［００５８］
基地局は、ＷＵＳに対する最大期間を構成し、最大期間の表示をＵＥに提供してもよい。この表示は、ＷＵＳを送信する前に、搬送波（例えば、狭帯域（ＮＢ）−ＩｏＴ搬送波）上のシステム情報ブロック（ＳＩＢ）を介して送信されてもよい。いくつかのケースでは、基地局は、搬送波に特有なＷＵＳ最大期間を構成してもよい。ＵＥは、基地局とＷＵＳとに関係する変数に基づいて、ＷＵＳに対する最大期間（Ｗｍａｘ）を仮定してもよい。例えば、Ｗｍａｘは、ＷＵＳの送信電力、ＷＵＳのために基地局により使用される送信ダイバーシティ、レガシー同期信号の検出の前にＷＵＳが検出されるかもしれないか否か、または、これらの任意の組み合わせに依存していてもよい。この依存性は、スケーリングファクタＫＷにより表されてもよい。いくつかのケースでは、ＵＥは、ダウンリンクチャネルに対する反復の数に基づいて、ＷＵＳの期間を決定してもよい。反復の数は、ＷＵＳ終了後のページング機会におけるダウンリンクチャネルに対する反復の数を、または、代替的に、ページング機会におけるダウンリンクチャネル反復に対する可能性ある位置を示していてもよい。
【００５２】
［００５９］
いくつかのケースでは、ＵＥは、最大ＷＵＳ期間の間、ＷＵＳを監視しないことを決定してもよく、決定に基づいて、早期終了にしたがっていてもよい。すなわち、ＵＥは、時間Ｗの間に、ＷＵＳを監視するかもしれず、ＷはＷｍａｘよりも短いかもしれない。ＵＥは、ＷＵＳのある検出確率を満たすように、Ｗに対する値を決めてもよい。ＵＥは、計算されたＷｍａｘとＷとの間の関係をさらに仮定してもよく、ＵＥは、ＷＵＳをリッスンすることになる。いくつかのケースでは、ＵＥは、Ｗｍａｘの値を決定していないかもしれず、代わりに、ＵＥは、Ｗが反復とＫＷのようなスケーリングファクタとの関数であることを仮定するかもしれない。
【００５３】
［００６０］
いくつかのケースでは、基地局は、ＫＷの値をＵＥに明示的に示すかもしれない。追加的または代替的に、基地局は、ＫＷの値を暗黙的に示すかもしれない。例えば、ＫＷの値は、ＵＥにより知られている送信ダイバーシティに基づいて知られていてもよい。別の例では、ＵＥは、ＵＥにより知られている送信スキームに基づいて、ＫＷの値を決定してもよい。別の例では、ＵＥは、ＵＥにより知られている送信ダイバーシティディメンションと信号電力情報とに基づいて、ＫＷの値を決定してもよい。
【００５４】
［００６１］
本開示の態様は、ワイヤレス通信システムのコンテキストで最初に説明されている。そして、プロセスフローは、開示の態様を例示するために提供されている。本開示の態様は、ワイヤレス通信のためのＷＵＳコンフィギュレーションに関連する装置図、システム図、および、フローチャートによりさらに例示され、これらを参照して説明されている。
【００５５】
［００６２］
図１は、本開示のさまざまな態様にしたがう、ワイヤレス通信システム１００の例を示す。ワイヤレス通信システム１００は、基地局１０５と、ＵＥ１１５と、コアネットワーク１３０とを含んでいる。いくつかの例では、ワイヤレス通信システム１００は、ロングタームエボリューション（ＬＴＥ（登録商標））ネットワーク、ＬＴＥアドバンスト（ＬＴＥ−Ａ）ネットワーク、ＬＴＥ−Ａプロネットワーク、または、新しい無線（ＮＲ）ネットワークであってもよい。いくつかのケースでは、ワイヤレス通信システム１００は、拡張ブロードバンド通信、超高信頼性（例えば、ミッションクリティカル）通信、低レイテンシー通信、または、低コストおよび低複雑性のデバイスとの通信をサポートしてもよい。
【００５６】
［００６３］
基地局１０５は、１本以上の基地局アンテナを介してＵＥ１１５とワイヤレスに通信してもよい。ここで説明する基地局１０５は、トランシーバ基地局、無線基地局、アクセスポイント、無線トランシーバ、ノードＢ、ｅノードＢ（ｅＮＢ）、次世代ノードＢ、または、ギガノードＢ（何れもｇＮＢとして呼ばれることもある）、ホームノードＢ、ホームｅノードＢ、または、他の何らかの適切な用語を含み、これらとして、当業者により参照されることがある。ワイヤレス通信システム１００は、異なるタイプの基地局１０５（例えば、マクロまたはスモールセル基地局）を含んでいてもよい。ここで説明するＵＥ１１５は、マクロｅＮＢ、スモールセルｅＮＢ、ｇＮＢ、中継基地局、これらに類するものを含む、さまざまなタイプの基地局１０５およびネットワーク機器と通信することができてもよい。
【００５７】
［００６４］
さまざまなＵＥ１１５との通信がサポートされる特定の地理的カバレージエリア１１０に、各基地局１０５は関係していてもよい。各基地局１０５は、通信リンク１２５を介してそれぞれの地理的カバレージエリア１１０のための通信カバレージを提供してもよく、基地局１０５とＵＥ１１５との間の通信リンク１２５は、１つ以上の搬送波を利用してもよい。ワイヤレス通信システム１００中に示されている通信リンク１２５は、ＵＥ１１５から基地局１０５へのアップリンク送信、または、基地局１０５からＵＥ１１５へのダウンリンク送信を含んでいてもよい。ダウンリンク送信はまた、順方向リンク送信として呼ばれることがあり、アップリンク送信は、逆方向リンク送信として呼ばれることもある。
【００５８】
［００６５］
基地局１０５のための地理的カバレージエリア１１０は、地理的カバレージエリア１１０の一部分のみを作り上げるセクタに分割され、各セクタはセルに関係していてもよい。例えば、各基地局１０５は、マクロセル、スモールセル、ホットスポット、または、他のタイプのセル、または、これらのさまざまな組み合わせのための通信カバレージを提供してもよい。いくつかの例では、基地局１０５は、移動可能であり、したがって、移動する地理的カバレージエリア１１０のための通信カバレージを提供してもよい。いくつかの例では、異なる技術に関係する異なる地理的カバレージエリア１１０がオーバーラップしていてもよく、異なる技術に関係するオーバーラップする地理的カバレージエリア１１０が、同じ基地局１０５により、または、異なる基地局１０５によりサポートされていてもよい。ワイヤレス通信システム１００は、例えば、異なるタイプの基地局１０５がさまざまな地理的カバレージエリア１１０のためのカバレージを提供する、異種ＬＴＥ／ＬＴＥ−Ａ／ＬＴＥ−ＡプロまたはＮＲＡネットワークを含んでいてもよい。
【００５９】
［００６６］
「セル」という用語は、（例えば、搬送波を介した）基地局１０５との通信のために使用する論理通信エンティティを指し、同じ搬送波または異なる搬送波を通して動作する隣接セルを識別する識別子（例えば、物理セル識別子（ＰＣＩＤ）、仮想セル識別子（ＶＣＩＤ））に関係していてもよい。いくつかの例では、搬送波は、複数のセルをサポートしてもよく、異なるタイプのデバイスのためのアクセスを提供するかもしれない異なるプロトコルタイプ（例えば、マシンタイプ通信（ＭＴＣ）、狭帯域インターネットオブシングス（ＮＢ−ＩｏＴ）、拡張モバイルブロードバンド（ｅＭＢＢ）、または、他のもの）にしたがって、異なるセルを構成してもよい。いくつかのケースでは、「セル」という用語は、論理エンティティが動作する地理的カバレージエリア１１０（例えば、セクタ）の一部分を指すこともある。
【００６０】
［００６７］
ＵＥ１１５は、ワイヤレス通信システム１００の全体に渡って分散されていてもよく、各ＵＥ１１５は、静止していてもまたは移動体であってもよい。ＵＥ１１５はまた、移動体デバイス、ワイヤレスデバイス、リモートデバイス、ハンドヘルドデバイス、または、加入者デバイス、または、他の何らかの適切な用語で呼ばれることもあり、「デバイス」は、ユニット、局、端末、または、クライアントとして呼ばれることもある。ＵＥ１１５は、セルラーフォン、パーソナルデジタルアシスタント（ＰＤＡ）、タブレットコンピュータ、ラップトップコンピュータ、または、パーソナルコンピュータのような、パーソナル電子デバイスであってもよい。いくつかの例では、ＵＥ１１５はまた、ワイヤレスローカルループ（ＷＬＬ）局、インターネットオブスイングス（ＩｏＴ）デバイス、インターネットオブエブリシング（ＩｏＥ）デバイス、または、ＭＴＣデバイス、または、これらに類するものを指すことがあり、これらは、電気機器、車両、メータ、または、これらに類するもののような、さまざまな物品で実現してもよい。
【００６１】
［００６８］
ＭＴＣデバイスまたはＩｏＴデバイスのようないくつかのＵＥ１１５は、低コストまたは低複雑性デバイスであってもよく、（例えば、マシンツーマシン（Ｍ２Ｍ）通信を介した）マシン間の自動通信を提供してもよい。Ｍ２Ｍ通信またはＭＴＣは、デバイスが、人間の介入なしに、互いに、または、基地局１０５と通信することを可能にするデータ通信技術を指すことがある。いくつかの例では、Ｍ２Ｍ通信またはＭＴＣは、情報を測定または捕捉するセンサまたはメータを組み込み、その情報を使用してもよいかまたはその情報をプログラムまたはアプリケーションと対話する人間に提示してもよい中央サーバまたはアプリケーションプログラムにその情報を中継する、デバイスからの通信を含んでいてもよい。いくつかのＵＥ１１５は、情報を収集するか、または、機械の自動化された挙動を可能にするように設計されていてもよい。ＭＴＣデバイスのためのアプリケーションの例は、スマートメータリング、在庫監視、水位監視、機器監視、ヘルスケア監視、野生生活監視、天候および地質学的事象監視、フリート管理および追跡、リモートセキュリティセンシング、物理アクセス制御、ならびに、トランザクションベースのビジネス課金を含んでいる。
【００６２】
［００６９］
いくつかのＵＥ１１５は、半二重通信（例えば、送信または受信を介して一方向通信をサポートするが、同時に送信および受信をサポートしないモード）のような、電力消費を低減する動作モードを用いるように構成されていてもよい。いくつかの例では、半二重通信は、低減されたピークレートで実行されてもよい。ＵＥ１１５のための他の電力節約技法は、アクティブ通信に携わっていないときに、または、（例えば、狭帯域通信にしたがって）限られた帯域幅に渡って動作しているときに、電力セーブ「ディープスリープ」モードに入ることを含んでいる。いくつかのケースでは、ＵＥ１１５は、クリティカル機能（例えば、ミッションクリティカル機能）をサポートするように設計されてもよく、ワイヤレス通信システム１００は、これらの機能のために、超高信頼性通信を提供するように構成されていてもよい。
【００６３】
［００７０］
いくつかのケースでは、ＵＥ１１５はまた、（例えば、ピアツーピア（Ｐ２Ｐ）またはデバイスツーデバイス（Ｄ２Ｄ）プロトコルを使用して）他のＵＥ１１５と直接通信することができてもよい。Ｄ２Ｄ通信を利用するＵＥ１１５のグループのうちの１つ以上は、基地局１０５の地理的カバレージエリア１１０内にあってもよい。このようなグループ中の他のＵＥ１１５は、基地局１０５の地理的カバレージエリア１１０の外側にあるかもしれず、または、さもなければ、基地局１０５からの送信を受信することが不可能であるかもしれない。いくつかのケースでは、Ｄ２Ｄ通信を介して通信するＵＥ１１５のグループは、各ＵＥ１１５がグループ中の他のすべてのＵＥ１１５に送信する、１対多（１：Ｍ）システムを利用するかもしれない。いくつかのケースでは、基地局１０５は、Ｄ２Ｄ通信に対するリソースのスケジューリングを容易にする。他のケースでは、Ｄ２Ｄ通信は、基地局１０５の関与なしで、ＵＥ１１５の間で実行される。
【００６４】
［００７１］
基地局１０５は、コアネットワーク１３０と、そして、互いに通信してもよい。例えば、基地局１０５は、バックホールリンク１３２を通して（例えば、Ｓ１または他のインターフェースを介して）、コアネットワーク１３０とインターフェースしていてもよい。基地局１０５は、バックホールリンク１３４を介して（例えば、Ｘ２または他のインターフェースを介して）、直接的に（例えば、基地局１０５間で直接的に）、または、間接的に（例えば、コアネットワーク１３０を介して）互いに通信してもよい。
【００６５】
［００７２］
コアネットワーク１３０は、ユーザ認証、アクセス許可、トラッキング、インターネットプロトコル（ＩＰ）接続性、および、他のアクセス、ルーティング、または、モビリティ機能を提供してもよい。コアネットワーク１３０は、少なくとも１つのモビリティ管理エンティティ（ＭＭＥ）、少なくとも１つのサービングゲートウェイ（Ｓ−ＧＷ）、および、少なくとも１つのパケットデータネットワーク（ＰＤＮ）ゲートウェイ（Ｐ−ＧＷ）を含んでいてもよい、発展型パケットコア（ＥＰＣ）であってもよい。ＭＭＥは、ＥＰＣに関係する基地局１０５によりサービスされるＵＥ１１５に対するモビリティ、認証、および、ベアラ管理のような、非アクセス層（例えば、制御プレーン）機能を管理してもよい。ユーザＩＰパケットは、Ｓ−ＧＷを介して転送され、Ｓ−ＧＷ自体は、Ｐ−ＧＷに接続されていてもよい。Ｐ−ＧＷは、ＩＰアドレス割り振りとともに他の機能を提供してもよい。Ｐ−ＧＷは、ネットワークオペレータＩＰサービスに接続されていてもよい。オペレータＩＰサービスは、インターネット、イントラネット、ＩＰマルチメディアサブシステム（ＩＭＳ）、または、パケット交換（ＰＳ）ストリーミングサービスへのアクセスを含んでいてもよい。
【００６６】
［００７３］
基地局１０５のようなネットワークデバイスのうちの少なくともいくつかは、アクセスネットワークエンティティのようなサブコンポーネントを含んでいてもよく、アクセスネットワークエンティティは、アクセスノード制御装置（ＡＮＣ）の例であってもよい。各アクセスネットワークエンティティは、無線ヘッド、スマート無線ヘッド、または、送信／受信ポイント（ＴＲＰ）として呼ばれることもある、他の多数のアクセスネットワーク送信エンティティを介して、ＵＥ１１５と通信してもよい。いくつかのコンフィギュレーションでは、各アクセスネットワークエンティティまたは基地局１０５のさまざまな機能は、さまざまなネットワークデバイス（例えば、無線ヘッドおよびアクセスネットワーク制御装置）に渡って分散されていてもよく、または、単一のネットワークデバイス（例えば、基地局１０５）に統合されていてもよい。
【００６７】
［００７４］
ワイヤレス通信システム１００は、典型的には３００ＭＨｚ〜３００ＧＨｚの範囲で、１つ以上の周波数帯域を使用して動作するかもしれない。一般的に、３００ＭＨｚ〜３ＧＨｚの領域は、超高周波（ＵＨＦ）領域またはデシメートル帯域として知られている。なぜなら、波長は、長さが約１デシメートル〜１メートルの範囲であるからである。ＵＨＦ波は、建物および環境特徴により遮断またはリダイレクトされるかもしれない。しかしながら、波は、マクロセルが屋内に位置するＵＥ１１５にサービスを提供するのに十分なくらい構造を貫通するかもしれない。ＵＨＦ波の送信は、３００ＭＨｚ未満のスペクトルの高周波数（ＨＦ）または非常に高い周波数（ＶＨＦ）部分のより低い周波数およびより長い波を使用する送信と比較して、より小さいアンテナおよびより短い範囲（例えば、１００ｋｍ未満）に関係していてもよい。
【００６８】
［００７５］
ワイヤレス通信システム１００はまた、センチメートル帯域としても知られる３ＧＨｚから３０ＧＨｚまでの周波数帯域を使用する超高周波数（ＳＨＦ）領域中で動作してもよい。ＳＨＦ領域は、５ＧＨｚの産業用、科学用、および、医療用（ＩＳＭ）の帯域のような帯域を含み、これは、他のユーザからの干渉を許容してもよい装置により都合よく使用してもよい。
【００６９】
［００７６］
ワイヤレス通信システム１００は、ミリメータ帯域としても知られるスペクトルの非常に高い周波数（ＥＨＦ）領域（例えば、３０ＧＨｚから３００ＧＨｚ）中でも動作してもよい。いくつかの例では、ワイヤレス通信システム１００は、ＵＥ１１５と基地局１０５との間のミリ波（ｍｍＷ）通信をサポートしてもよく、それぞれのデバイスのＥＨＦアンテナは、ＵＨＦアンテナよりもさらに小さく、より近くに間隔が空けられていてもよい。いくつかのケースでは、これは、ＵＥ１１５内のアンテナアレイの使用を容易にするかもしれない。しかしながら、ＥＨＦ送信の伝搬は、ＳＨＦまたはＵＨＦ送信よりも大きな大気減衰の影響を受け、より短い範囲となるかもしれない。ここで開示する技法は、１つ以上の異なる周波数領域を使用する送信に渡って用いてもよく、これらの周波数領域に渡る帯域の指定された使用は、国または規制機関により異なっていてもよい。
【００７０】
［００７７］
いくつかのケースでは、ワイヤレス通信システム１００は、ライセンスされている無線周波数スペクトル帯域とライセンスされていない無線周波数スペクトル帯域の両方を利用してもよい。例えば、ワイヤレス通信システム１００は、５ＧＨｚ  ＩＳＭ帯域のような、ライセンスされていない帯域において、ライセンス支援アクセス（ＬＡＡ）、ＬＴＥライセンスされていない（ＬＴＥ−Ｕ）無線アクセス技術、または、ＮＲ技術を用いてもよい。ライセンスされていない無線周波数スペクトル帯域で動作するとき、基地局１０５およびＵＥ１１５のような、ワイヤレスデバイスは、リッスンビフォアトーク（ＬＢＴ）プロシージャを用いて、データを送信する前に周波数チャネルが確実にクリアであるようにするかもしれない。いくつかのケースでは、ライセンスされていない帯域における動作は、ライセンスされている帯域（例えば、ＬＡＡ）において動作するＣＣに関連するＣＡコンフィギュレーションに基づいていてもよい。ライセンスされていないスペクトルにおける動作は、ダウンリンク送信、アップリンク送信、ピアツーピア送信、または、これらの組み合わせを含んでいてもよい。ライセンスされていないスペクトルにおけるデュプレックスは、周波数分割デュプレックス（ＦＤＤ）、時分割デュプレックス（ＴＤＤ）、または、両方の組み合わせに基づいていてもよい。
【００７１】
［００７８］
いくつかの例では、基地局１０５またはＵＥ１１５は、送信ダイバーシティ、受信ダイバーシティ、多入力多出力（ＭＩＭＯ）通信、または、ビーム形成のような技法を用いるのに使用してもよい、複数のアンテナを装備していてもよい。例えば、ワイヤレス通信システム１００は、送信デバイス（例えば、基地局１０５）と受信デバイス（例えば、ＵＥ１１５）との間の送信スキームを使用してもよく、送信デバイスは複数のアンテナを装備し、受信デバイスは１本以上のアンテナを装備する。ＭＩＭＯ通信は、マルチパス信号伝搬を用いて、異なる空間レイヤを介して複数の信号を送信または受信することにより、スペクトル効率を増加させてもよく、これは空間多重化として呼ばれることもある。複数の信号は、例えば、異なるアンテナまたはアンテナの異なる組み合わせを介して、送信デバイスにより送信されてもよい。同様に、複数の信号は、異なるアンテナまたはアンテナの異なる組み合わせを介して、受信デバイスにより受信されてもよい。複数の信号のそれぞれは、別個の空間ストリームとして呼ばれることがあり、同じデータストリーム（例えば、同じコードワード）または異なるデータストリームに関係するビットを伝えてもよい。異なる空間レイヤは、チャネル測定および報告のために使用される異なるアンテナポートに関係していてもよい。ＭＩＭＯ技法は、複数の空間レイヤが同じ受信デバイスに送信される単一ユーザＭＩＭＯ（ＳＵ−ＭＩＭＯ）と、複数の空間レイヤが複数のデバイスに送信される複数ユーザＭＩＭＯ（ＭＵ−ＭＩＭＯ）とを含んでいる。
【００７２】
［００７９］
空間フィルタリング、指向性送信、または、指向性受信としても呼ばれることがあるビーム形成は、送信デバイスと受信デバイスとの間の空間パスに沿ってアンテナビーム（例えば、送信ビームまたは受信ビーム）を成形またはステアリングするために、送信デバイスまたは受信デバイス（例えば、基地局１０５またはＵＥ１１５）において使用されてもよい信号処理技法である。ビーム形成は、アンテナアレイに関して特定の方向に伝搬する信号が強め合う干渉を経験し、他のものが弱め合う干渉を経験するように、アンテナアレイのアンテナ素子を介して通信される信号を組み合わせることにより達成されてもよい。アンテナ素子を介して通信される信号の調節は、送信デバイスまたは受信デバイスが、デバイスに関係するアンテナ素子のそれぞれを介して搬送される信号に対してある振幅および位相オフセットを適用することを含んでいてもよい。アンテナ素子のそれぞれに関係する調節は、特定の方向に関係する（例えば、送信デバイスまたは受信デバイスのアンテナアレイに関する、あるいは、他の何らかの方向に関する）、ビーム形成重み設定により規定されていてもよい。
【００７３】
［００８０］
１つの例では、基地局１０５は、複数のアンテナまたはアンテナアレイを使用して、ＵＥ１１５との指向性通信のためのビーム形成動作を行ってもよい。例えば、いくつかの信号（例えば、同期信号、基準信号、ビーム選択信号、または、他の制御信号）は、異なる方向に複数回、基地局１０５により送信されてもよく、これは、異なる送信の方向に関係する異なるビーム形成重み設定にしたがって送信されている信号を含んでいてもよい。異なるビーム方向の送信は、基地局１０５による後続の送信および／または受信のためのビーム方向を、（例えば、基地局１０５により、または、ＵＥ１１５のような受信デバイスにより）識別するのに使用してもよい。特定の受信デバイスに関係するデータ信号のような、いくつかの信号は、単一のビーム方向（例えば、ＵＥ１１５のような、受信デバイスに関係する方向）に、基地局１０５により送信されてもよい。いくつかの例では、単一のビーム方向に沿った送信に関係するビーム方向は、異なるビーム方向において送信された信号に少なくとも部分的に基づいて決定されてもよい。例えば、ＵＥ１１５は、基地局１０５により異なる方向に送信された信号のうちの１つ以上を受信してもよく、ＵＥ１１５は、最高の信号品質で、または、さもなければ許容可能な信号品質で、受信した信号の表示を、基地局１０５に報告してもよい。これらの技法は、基地局１０５により１つ以上の方向で送信される信号を参照して説明しているが、ＵＥ１１５は、（例えば、ＵＥ１１５による後続の送信または受信のためのビーム方向を識別するために）異なる方向に複数回、信号を送信する、または、（例えば、データを受信デバイスに送信するために）単一の方向に信号を送信する、同様の技法を用いてもよい。
【００７４】
［００８１］
受信デバイス（例えば、ｍｍＷ受信デバイスの例であってもよいＵＥ１１５）は、同期信号、基準信号、ビーム選択信号、または、他の制御信号のような、さまざまな信号を基地局１０５から受信するとき、複数の受信ビームを試みるかもしれない。例えば、受信デバイスは、異なるアンテナサブアレイを介して受信することにより、異なるアンテナサブアレイにしたがって受信信号を処理することにより、アンテナアレイの複数のアンテナ素子において受信される信号に適用される異なる受信ビーム形成重み設定にしたがって受信することにより、または、アンテナアレイの複数のアンテナ素子において受信される信号に適用される異なる受信ビーム形成重み設定にしたがって受信信号を処理することにより、複数の受信方向を試してもよく、これらのうちの何れも、異なる受信ビームまたは受信方向にしたがって「リスニング」しているとして呼ばれることがある。いくつかの例では、受信デバイスは、（例えば、データ信号を受信するとき）単一の受信ビームを使用して、単一のビーム方向に沿って受信してもよい。単一の受信ビームは、異なる受信ビーム方向にしたがうリスニングに基づいて決定されるビーム方向（例えば、複数のビーム方向にしたがうリスニングに基づく、最高信号強度、最高信号対雑音比、または、さもなければ、許容可能な信号品質を有するように決定されたビーム方向）に整列されていてもよい。
【００７５】
［００８２］
いくつかのケースでは、基地局１０５またはＵＥ１１５のアンテナは、１つ以上のアンテナアレイ内に位置していてもよく、アンテナアレイは、ＭＩＭＯ動作を、あるいは、送信または受信ビーム形成をサポートしてもよい。例えば、１本以上の基地局アンテナまたはアンテナアレイは、アンテナタワーのような、アンテナアセンブリとコロケートさせてもよい。いくつかのケースでは、基地局１０５に関係するアンテナまたはアンテナアレイは、多様な地理的位置に配置されていてもよい。基地局１０５は、基地局１０５がＵＥ１１５との通信のビーム形成をサポートするため使用するかもしれない、アンテナポートの多数の行と列を有するアンテナアレイを有していてもよい。同様に、ＵＥ１１５は、さまざまなＭＩＭＯまたはビーム形成動作をサポートするかもしれない、１つ以上のアンテナアレイを有していてもよい。
【００７６】
［００８３］
いくつかのケースでは、ワイヤレス通信システム１００は、レイヤ化プロトコルスタックにしたがって動作するパケットベースのネットワークであってもよい。ユーザプレーンでは、ベアラまたはパケットデータコンバージェンスプロトコル（ＰＤＣＰ）レイヤにおける通信は、ＩＰベースであってもよい。無線リンク制御（ＲＬＣ）レイヤは、いくつかのケースでは、論理チャネルを介して通信するために、パケットセグメンテーションおよびリアセンブリを実行してもよい。媒体アクセス制御（ＭＡＣ）レイヤは、優先取り扱いを行い、論理チャネルのトランスポートチャネルへの多重化を行ってもよい。ＭＡＣレイヤはまた、リンク効率を改善するために、ＭＡＣレイヤにおける再送信を提供するハイブリッド自動再送要求（ＨＡＲＱ）を使用してもよい。制御プレーンでは、無線リソース制御（ＲＲＣ）プロトコルレイヤは、ＵＥ１１５と、基地局１０５またはユーザプレーンデータに対する無線ベアラをサポートするコアネットワーク１３０との間のＲＲＣ接続の確立、コンフィギュレーション、および、管理を提供してもよい。物理（ＰＨＹ）レイヤでは、トランスポートチャネルは、物理チャネルにマッピングされていてもよい。
【００７７】
［００８４］
いくつかのケースでは、ＵＥ１１５および基地局１０５は、データの再送信をサポートして、データの受信が成功する可能性を増加させてもよい。ＨＡＲＱフィードバックは、データが通信リンク１２５を介して正確に受信される可能性を増加させる１つの技術である。ＨＡＲＱは、（例えば、巡回冗長検査（ＣＲＣ）を使用する）誤り検出、順方向誤り訂正（ＦＥＣ）、および、再送信（例えば、自動反復要求（ＡＲＱ））の組み合わせを含んでいてもよい。ＨＡＲＱは、劣悪な無線状態（例えば、信号対雑音状態）において、ＭＡＣレイヤにおけるスループットを改善するかもしれない。いくつかのケースでは、ワイヤレスデバイスは、同じスロットＨＡＲＱフィードバックをサポートしてもよく、デバイスは、スロット中の前のシンボル中で受信されたデータのために、特定のスロット中にＨＡＲＱフィードバックを提供してもよい。他のケースでは、デバイスは、後続のスロット中で、または、他の何らかの時間間隔にしたがって、ＨＡＲＱフィードバックを提供してもよい。
【００７８】
［００８５］
ＬＴＥまたはＮＲにおける時間間隔は、基本時間単位の倍数で表されていてもよく、基本時間単位は、例えば、Ｔｓ＝１／３０，７２０，０００秒のサンプリング期間を指していてもよい。通信リソースの時間間隔は、それぞれが１０ミリ秒（ｍｓ）の持続時間を有する無線フレームにしたがって編成されていてもよく、フレーム期間は、Ｔｆ＝３０７，２００Ｔｓとして表されていてもよい。無線フレームは、０から１０２３の範囲のシステムフレーム番号（ＳＦＮ）により識別されてもよい。各フレームは、０から９まで番号付けされた１０のサブフレームを含んでいてもよく、各サブフレームは、１ミリの持続時間を有していてもよい。サブフレームは、それぞれが０．５ｍｓの持続時間を有する２つのスロットにさらに分割されてもよく、各スロットは、（例えば、各シンボル期間の前に付加されるサイクリックプレフィックスの長さに依存して）６つまたは７つの変調シンボル期間を含んでいてもよい。サイクリックプレフィックスを除外すると、各シンボル期間は、２０４８のサンプリング期間を含んでいてもよい。いくつかのケースでは、サブフレームは、ワイヤレス通信システム１００の最小スケジューリング単位であってもよく、送信時間間隔（ＴＴＩ）として呼ばれることもある。他のケースでは、ワイヤレス通信システム１００の最小スケジューリング単位は、サブフレームよりも短くてもよく、または、（例えば、短縮ＴＴＩ（ｓＴＴＩ）のバースト中で、または、ｓＴＴＩを使用する選択されたコンポーネント搬送波中で）動的に選択してもよい。
【００７９】
［００８６］
いくつかのワイヤレス通信システムでは、スロットは、１つ以上のシンボルを含む複数のミニスロットにさらに分割されていてもよい。いくつかの事例では、ミニスロットまたはミニスロットのシンボルが、スケジューリングの最小単位であってもよい。各シンボルは、例えば、副搬送波間隔または動作の周波数帯域に依存して、持続時間が変化してもよい。追加的に、いくつかのワイヤレス通信システムは、複数のスロットまたはミニスロットが一緒にアグリゲートされて、ＵＥ１１５と基地局１０５との間の通信のために使用されるスロットアグリゲーションを実現してもよい。
【００８０】
［００８７］
用語「搬送波」は、通信リンク１２５を介しての通信をサポートするために規定されている物理レイヤ構造を有する無線周波数スペクトルリソースのセットを指している。例えば、通信リンク１２５の搬送波は、所定の無線アクセス技術のための物理レイヤチャネルにしたがって動作する無線周波数スペクトル帯域の一部分を含んでいてもよい。各物理レイヤチャネルは、ユーザデータ、制御情報、または、他のシグナリングを伝えてもよい。搬送波は、予め規定されている周波数チャネル（例えば、Ｅ−ＵＴＲＡ絶対無線周波数チャネル番号（ＥＡＲＦＣＮ））に関係していてもよく、ＵＥ１１５による発見のためのチャネルラスタにしたがって位置決めされていてもよい。搬送波は、（例えば、ＦＤＤモード中で）ダウンリンクまたはアップリンクであってもよく、または、（例えば、ＴＤＤモード中で）ダウンリンクおよびアップリンク通信を伝えるように構成されていてもよい。いくつかの例では、搬送波を介して送信される信号波形は、（例えば、直交周波数分割多重（ＯＦＤＭ）または離散フーリエ変換拡散−ＯＦＤＭ（ＤＦＴ−ｓ−ＯＦＤＭ）のような、マルチ搬送波変調（ＭＣＭ）技法を使用して）複数の副搬送波から作り上げられていてもよい。
【００８１】
［００８８］
搬送波の組織構造は、異なる無線アクセス技術（例えば、ＬＴＥ、ＬＴＥ−Ａ、ＬＴＥ−Ａプロ、ＮＲなど）に対して異なっていてもよい。例えば、搬送波を介した通信は、ＴＴＩまたはスロットにしたがって編成してもよく、これらのそれぞれは、ユーザデータとともにユーザデータのデコーディングをサポートするための制御情報またはシグナリングを含んでいてもよい。搬送波はまた、専用捕捉シグナリング（例えば、同期信号またはシステム情報など）と、搬送波のための動作を調整する制御シグナリングとを含んでいてもよい。いくつかの例では（例えば、キャリアアグリゲーションコンフィギュレーション中では）、搬送波はまた、他の搬送波のための動作を調整する捕捉シグナリングまたは制御シグナリングを有していてもよい。
【００８２】
［００８９］
物理チャネルは、さまざまな技法にしたがって搬送波上で多重化してもよい。物理制御チャネルおよび物理データチャネルは、例えば、時分割多重化（ＴＤＭ）技法、周波数分割多重化（ＦＤＭ）技法、または、ハイブリッドＴＤＭ−ＦＤＭ技法を使用して、ダウンリンク搬送波上で多重化してもよい。いくつかの例では、物理制御チャネル中で送信される制御情報は、カスケード方法で、異なる制御領域間（例えば、共通制御領域または共通サーチ空間と、１つ以上のＵＥ特有な制御領域またはＵＥ特有なサーチ空間との間で）で分散させてもよい。
【００８３】
［００９０］
搬送波は、無線周波数スペクトルの特定の帯域幅に関係していてもよく、いくつかの例では、搬送波帯域幅は、搬送波のまたはワイヤレス通信システム１００の「システム帯域幅」として呼ばれることもある。例えば、搬送波帯域幅は、特定の無線アクセス技術の搬送波（例えば、１．４、３、５、１０、１５、２０、４０、または、８０ＭＨｚ）に対する多数の予め定められた帯域幅のうちの１つであってもよい。いくつかの例では、各サービス提供されるＵＥ１１５は、搬送波帯域幅の一部分または全部に渡って動作するように構成されていてもよい。他の例では、いくつかのＵＥ１１５は、搬送波内（例えば、狭帯域プロトコルタイプの「インバンド」配備）の予め規定されている部分または範囲（例えば、副搬送波またはＲＢのセット）に関係する狭帯域プロトコルタイプを使用する動作のために構成されていてもよい。
【００８４】
［００９１］
ＭＣＭ技法を用いるシステムでは、リソース要素は、１つのシンボル期間（例えば、１つの変調シンボルの期間）と、１つの副搬送波とからなっていてもよく、シンボル期間と副搬送波間隔は逆に関係する。各リソース要素により搬送されるビットの数は、変調スキーム（例えば、変調スキームの次数）に依存していてもよい。したがって、ＵＥ１１５が受信するリソース要素がより多くなり、変調スキームの次数が高くなるほど、ＵＥ１１５に対するデータレートがより高くなるかもしれない。ＭＩＭＯシステムでは、ワイヤレス通信リソースは、無線周波数スペクトルリソースと、時間リソースと、空間リソース（例えば、空間レイヤ）との組み合わせを指すことがあり、複数の空間レイヤの使用は、ＵＥ１１５との通信のためのデータレートをさらに増加させるかもしれない。
【００８５】
［００９２］
ワイヤレス通信システム１００のデバイス（例えば、基地局１０５またはＵＥ１１５）は、特定の搬送波帯域幅に渡る通信をサポートするハードウェアコンフィギュレーションを有しているかもしれないか、または、搬送波帯域幅のセットのうちの１つを介した通信をサポートするように構成可能であってもよい。いくつかの例では、ワイヤレス通信システム１００は、１つより多い異なる搬送波帯域幅に関係する搬送波を介して同時通信をサポートしてもよい基地局１０５および／またはＵＥを含んでいてもよい。
【００８６】
［００９３］
ワイヤレス通信システム１００は、複数のセルまたは搬送波上でＵＥ１１５との通信をサポートしてもよく、この特徴は、キャリアアグリゲーション（ＣＡ）またはマルチキャリア動作として呼ばれることもある。ＵＥ１１５は、キャリアアグリゲーションコンフィギュレーションにしたがって、複数のダウンリンクＣＣおよび１つ以上のアップリンクＣＣにより構成されていてもよい。キャリアアグリゲーションは、ＦＤＤコンポーネント搬送波およびＴＤＤコンポーネント搬送波の両方とともに使用してもよい。
【００８７】
［００９４］
いくつかのケースでは、ワイヤレス通信システム１００は、拡張コンポーネント搬送波（ｅＣＣ）を利用してもよい。ｅＣＣは、より広い搬送波または周波数チャネル帯域幅、より短いシンボル持続時間、より短いＴＴＩ持続時間、または、修正された制御チャネルコンフィギュレーションを含む１つ以上の特徴により特徴付けられていてもよい。いくつかのケースでは、ｅＣＣは、キャリアアグリゲーションコンフィギュレーションまたはデュアル接続コンフィギュレーション（例えば、複数のサービングセルが準最適なまたは非理想的なバックホールリンクを有するとき）に関係していてもよい。ｅＣＣはまた、（例えば、１つより多くの事業者がスペクトルを使用することが許可されている場合）ライセンスされていないスペクトルまたは共有スペクトル中での使用のために構成されていてもよい。広い搬送波帯域幅により特徴付けられるｅＣＣは、搬送波帯域幅全体を監視することができない、または、そうでなければ、（例えば、電力を節約するために）限定された搬送波帯域幅を使用するように構成されているＵＥ１１５により利用されるかもしれない１つ以上のセグメントを含んでいてもよい。
【００８８】
［００９５］
いくつかのケースでは、ｅＣＣは、他のＣＣ以外の異なるシンボル持続時間を利用していてもよく、これは、他のＣＣのシンボル持続時間と比較して低減されたシンボル持続時間の使用を含んでいてもよい。より短いシンボル持続時間は、隣接する副搬送波間の増加した間隔に関係していてもよい。ｅＣＣを利用する、ＵＥ１１５または基地局１０５のようなデバイスは、低減シンボル持続時間（例えば、１６．６７マイクロ秒）で、（例えば、２０、４０、６０、８０ＭＨｚなどの周波数チャネルまたは搬送波帯域幅にしたがって）広帯域信号を送信してもよい。ｅＣＣ中のＴＴＩは、１つまたは複数のシンボル期間からなっていてもよい。いくつかのケースでは、ＴＴＩ持続時間（すなわち、ＴＴＩ中のシンボル期間の数）は可変であってもよい。
【００８９】
［００９６］
ＮＲシステムのようなワイヤレス通信システムは、数ある中でも、ライセンスされているスペクトル帯域幅、共有されているスペクトル帯域、および、ライセンスされていないスペクトル帯域の任意の組み合わせを利用してもよい。ｅＣＣシンボル持続時間および副搬送波間隔の柔軟性は、複数のスペクトルに渡るｅＣＣの使用を可能にするかもしれない。いくつかの例では、ＮＲ共有スペクトルは、特に、リソースの動的な垂直（例えば、周波数に渡る）および水平（例えば、時間に渡る）共有を通して、スペクトル利用およびスペクトル効率を増加させるかもしれない。
【００９０】
［００９７］
いくつかのワイヤレス通信システムでは、基地局１０５は、ダウンリンクチャネルのある時間周波数リソース（例えば、ＰＤＣＣＨまたはＮＰＤＣＣＨ）を使用して、ＷＵＳをＵＥ１１５に送信してもよい。ＵＥ１１５がスリープ状態からウェイクアップし、ＷＵＳを検出する場合、ＵＥ１１５は、ページング機会の間に、（例えば、基地局１０５により送信される）ページングメッセージのために、ダウンリンクチャネルを監視するために、ウェイクアップ状態のままであってもよい。代替的に、ＵＥ１１５がスリープ状態からウェイクアップするが、ＷＵＳを検出しない場合、ダウンリンクチャネル中にＵＥ１１５に対するページングメッセージが存在しないかもしれず、ＵＥ１１５はスリープ状態に逆戻りするかもしれない。いくつかのケースでは、ＵＥ１１５は、ＷＵＳを検出した後、ウェイクアップ状態のままであるかもしれず、ＷＵＳの最大期間の満了まで、ページング機会におけるページングメッセージのために、ダウンリンクチャネルを監視してもよい。
【００９１】
［００９８］
ここで説明するように、ＷＵＳの最大期間は、ＷＵＳの終了まで継続するかもしれない。ＷＵＳの最大期間が終了する前にＵＥ１１５がＷＵＳを検出しない場合、ＵＥ１１５はスリープ状態に逆戻りするかもしれない。ＷＵＳの最大期間の終了前にＵＥ１１５がＷＵＳを検出する場合、ＵＥ１１５は、ＵＥ１１５に特有なスケジューリング情報のために、後続のダウンリンクチャネルを監視してもよい。結果的に、ＵＥ１１５がダウンリンクチャネル中で（例えば、ＵＥ１１５のＵＥ識別（ＩＤ）を含む）スケジューリング情報を受信しない場合、ＵＥ１１５はスリープ状態に逆戻りするかもしれない。代替的に、ＵＥ１１５がスケジューリング情報を受信する場合、ＵＥ１１５は、データ、ページングメッセージ、および／または、制御情報のために、連続するダウンリンクチャネル（例えば、物理ダウンリンク共有チャネル（ＰＤＳＣＨ）または狭帯域ＰＤＳＣＨ（ＮＰＤＳＣＨ））を監視してもよい。基地局１０５は、ＷＵＳに対する最大期間を構成し、ＷＵＳを送信する前に、搬送波（例えば、ＮＢ−ＩｏＴ搬送波）上で（例えば、ＳＩＢを介して）ＵＥ１１５に最大期間を示してもよい。いくつかのケースでは、基地局１０５は、搬送波に特有なＷＵＳ最大期間を構成してもよい。
【００９２】
［００９９］
いくつかの例では、実際のＷＵＳ送信期間は、ＷＵＳに対する最大期間よりも短いかもしれない。このより短いＷＵＳ送信期間は、ＷＵＳの構成された最大期間の開始に位置合わせされていてもよく、または、ＷＵＳの構成された最大期間の終了に位置合わせされていてもよい。追加的または代替的に、最大の構成されたＷＵＳ時間期間の終了と関係するページング機会との間に、０でない時間ギャップがあってもよい。いくつかの例では、ＷＵＳの終了とページング機会との間のこの時間ギャップは予め規定されていてもよい。他の例では、この時間ギャップは動的に構成可能であってもよい。基地局１０５は、構成可能な時間ギャップ値を、ＵＥ１１５に明示的に示してもよい。代替的に、基地局１０５は、他の構成されたパラメータを通して、構成可能な時間ギャップ値をＵＥ１１５に暗黙的に示してもよい。
【００９３】
［０１００］
いくつかのケースでは、ＷＵＳに対する可能性ある最大期間のリストが規定されていてもよく、基地局１０５は、可能性ある最大期間のリストから、ＷＵＳに対する特定の最大期間に対応するインデックスをＳＩＢ（例えば、上述のような最大期間を示すＳＩＢ）中でＵＥ１１５に示してもよい。いくつかのケースでは、ＷＵＳに対する可能性ある最大期間のために、複数のリストが規定されていてもよい。例えば、最大期間のリストは、関係する制御チャネル（例えば、ＮＰＤＣＣＨ）に対する反復の最大数値（Ｒｍａｘ）に依存していてもよく、基地局１０５は、可能性ある最大期間に対するリストの番号を特定してもよい。代替的に、基地局１０５は、すべてのＲｍａｘ値に対して、可能性ある最大期間の単一のリストを規定してもよい。
【００９４】
［０１０１］
Ｒｍａｘは、ＷＵＳが終了した後のページング機会におけるダウンリンクチャネルに対する反復の最大数を示しているかもしれない。追加的または代替的に、Ｒｍａｘは、ページング機会におけるダウンリンクチャネル反復に対する可能性のある位置を示していてもよい。いくつかのケースでは、Ｒｍａｘは、基地局１０５に関係するカバレージエリアに依存していてもよい。例えば、より大きいカバレージエリアは、より大きいＲｍａｘに対応していてもよく、より小さいカバレージエリアは、より小さいＲｍａｘに対応していてもよい。いくつかの例では、Ｒｍａｘは、上位レイヤにより構成され、ブロードキャスト信号（例えば、ＳＩＢ）中でＵＥ１１５に示されてもよい。代替的に、Ｒｍａｘの値は、既知であってもよく、または、レガシーシグナリングを通して（例えば、ＳＩＢ２を介して）、示されてもよい。
【００９５】
［０１０２］
いくつかの例では、共通サーチ空間（例えば、タイプ１−ＮＰＤＣＣＨ共通サーチ空間）のために使用されるＲｍａｘは、ページングメッセージのためのＮＰＤＣＣＨの反復数を示す、上位レイヤにより構成されたパラメータで置き換えられてもよい。いくつかのケースでは、基地局１０５は、所定のページング機会において、Ｒｍａｘよりも小さい数の反復（Ｒ）を送信してもよい。ＵＥ１１５は、ページング機会を監視する前にＲを知らないかもしれず、ページング機会におけるダウンリンクチャネル反復に対する可能性ある位置を監視することに基づいて、Ｒ値を決定してもよい。Ｒは、基地局１０５が送信し、ＵＥ１１５が監視する反復の数に対応していてもよく、それゆえ、値ＲはＲｍａｘの値以下であるかもしれない。表１は、Ｒｍａｘに対するＲの可能性ある値を示している。
【表１】
2021507632.tif 000003
【００９６】
［０１０３］
いくつかのケースでは、ＵＥ１１５は、ＷＵＳの期間を明示的に知らないかもしれず、スケジューリング情報またはページングメッセージの監視を開始する前に、反復Ｒのうちの１つ以上を見逃すことがあり、これにより、ページングメッセージを正しく受信する機会を減らすかもしれない。
【００９７】
［０１０４］
ワイヤレス通信システム１００は、ＷＵＳに対する期間を決定するための効率的な技法をサポートするかもしれない。いくつかのケースでは、ＵＥ１１５は、基地局１０５とＷＵＳとに関係する変数に基づいて、ＷＵＳに対する最大期間を仮定してもよい。例えば、ＷＵＳに対する最大期間は、ＷＵＳの送信電力、ＷＵＳのために基地局により使用される送信ダイバーシティ、または、レガシー同期信号の検出の前にＷＵＳが検出されるかもしれないか否か、または、これらの任意の組み合わせに依存していてもよい。追加的に、ＵＥ１１５は、基地局１０５によりシグナリングされた要求された期間、信号品質などに基づいて、最大期間よりも早い時間にＷＵＳを終了することを決定してもよい。ＵＥ１１５は、最大期間とは無関係に、または、最大期間の代わりに、この短い期間を決定してもよい。
【００９８】
［０１０５］
図２は、本開示のさまざまな態様による、ワイヤレス通信のためのＷＵＳコンフィギュレーションをサポートするワイヤレス通信システム２００の例を示している。いくつかの例では、ワイヤレス通信システム２００は、ワイヤレス通信システム１００の態様を実現してもよい。ワイヤレス通信システム２００は、基地局１０５−ａとＵＥ１１５−ａとを含んでいてもよく、これらは、それぞれ図１を参照して説明したような、基地局１０５およびＵＥ１１５の例であってもよい。ＵＥ１１５−ａは、基地局１０５−ａと通信してもよい。いくつかの例では、基地局１０５−ａは、ＷＵＳ２１５と、ＵＥ１１５−ａに対する潜在的なデータおよび／または制御情報を示しているページング機会２２０とを送信してもよく、これらは、ダウンリンクチャネル２０５のリソース（例えば、ＰＤＣＣＨまたはＮＰＤＣＣＨ）上で送信されてもよい。
【００９９】
［０１０６］
いくつかのケースでは、ＵＥ１１５−ａは、ＷＵＳ２１５の最大期間の満了後であるかもしれないページング機会２２０の間に、ページングメッセージを監視するために、ウェイクアップして、（例えば、ＵＥ１１５−ａに対するＵＥ  ＩＤを含む）ＵＥ１１５−ａに特有なスケジューリング情報のために、ダウンリンクチャネル２０５（または、異なるダウンリンクチャネル）上のＷＵＳ２１５を監視してもよい。ＵＥ１１５−ａが、最大期間の満了前にＷＵＳ２１５を検出しない場合、スケジューリング情報を受信しない場合、または、ページング機会２２０においてページングメッセージを検出または受信しない場合、ＵＥ１１５−ａは、スリープ状態に逆戻りしてもよい。いくつかのケースでは、スリープ状態は、２つの不連続受信（ＤＲＸ）サイクルの間のＤＲＸサイクルオフ状態であってもよく、ＤＲＸサイクル間に、ＵＥ１１５−ａは、起きており、ＷＵＳ２１５を監視している。代替的に、ＵＥ１１５−ａが、最大期間の満了の前にＷＵＳ２１５を検出し、関係するスケジューリング情報を受信する場合、ＵＥ１１５−ａは、データ、ページングメッセージ、および／または、制御情報のために、連続するダウンリンクチャネル２０５（例えば、ＰＤＳＣＨまたはＮＰＤＳＣＨ）を監視してもよい。いくつかのケースでは、ＵＥ１１５−ａは、ＷＵＳを検出した後、ウェイクアップ状態のままであり、ＷＵＳ２１５の最大期間の満了まで、ページング機会２２０におけるページングメッセージのために、ダウンチャネル２０５を監視してもよい。基地局１０５−ａは、ＷＵＳ２１５に対する最大期間を構成し、ＷＵＳ２１５を送信する前に、搬送波（例えば、ＮＢ−ＩｏＴ搬送波）上で（例えば、ＳＩＢを介して）ＵＥ１１５−ａに最大期間を示してもよい。最大期間は、ＷＵＳコンフィギュレーションパラメータ２１０のような、ダウンリンクメッセージを介して示されてもよい。いくつかのケースでは、基地局１０５−ａは、搬送波に特有な、ＷＵＳ２１５に対する最大期間を構成してもよい。追加的に、ＷＵＳコンフィギュレーションパラメータ２１０は、ＷＵＳ２１５についてのさらなる情報（例えば、Ｒｍａｘ）を含んでいてもよい。
【０１００】
［０１０７］
いくつかのケースでは、ＵＥ１１５−ａは、ダウンリンクメッセージを介して受信するのではなく、Ｒｍａｘに基づいて、または、基地局１０５−ａとＷＵＳ２１５とに関係する変数に基づいて、ＷＵＳ２１５に対する最大期間（Ｗｍａｘ）を仮定してもよい。例えば、Ｗｍａｘは、ＷＵＳ２１５の送信電力、ＷＵＳ２１５のために基地局１０５−ａにより使用される送信ダイバーシティ、レガシー同期信号の検出の前にＷＵＳ２１５が検出されるかもしれないか否か、または、これらの任意の組み合わせに依存していてもよい。この依存性は、スケーリングファクタＫＷにより表されてもよい。１つの例では、ＵＥ１１５−ａは、以下のような式１により示される、ＲｍａｘとＫＷとの間の関係に基づいて、Ｗｍａｘを決定してもよい。
【数１】
2021507632.tif 000004
また、Ｗｍａｘの値は、表２中で以下に示すように与えられてもよい。
【表２】
2021507632.tif 000005
例えば、Ｒｍａｘ＝５１２およびＫＷ＝８に対して、Ｗｍａｘ＝６４（すなわち、５１２／８＝６４）である。いくつかのケースでは、Ｗｍａｘは、サブフレーム、スロット、ミニスロットなどのような、（例えば、時間的な）固定単位の数の観点から与えられてもよい。
【０１０１】
［０１０８］
いくつかのケースでは、基地局１０５−ａは、ＳＩＢ中で（例えば、ＷＵＳコンフィギュレーションパラメータ２１０中で）、ＫＷの値をＵＥ１１５−ａに明示的に示してもよい。追加的または代替的に、基地局１０５−ａは、（例えば、ＷＵＳ２１５に対する送信ダイバーシティがオンまたはオフの何れかであるか否かに基づいて）ＷＵＳコンフィギュレーションパラメータ２１０中に、ＫＷに対する２つの値を示してもよい。ＷＵＳ２１５に対する送信ダイバーシティがオンである場合、ＷＵＳ２１５に対応するＫＷ１があり、送信ダイバーシティがオフである場合、ＷＵＳ２１５に対応するＫＷ０が存在していてもよい。送信ダイバーシティは、ＷＵＳ２１５の送信のために使用されるアンテナポートの数を示していてもよい。したがって、送信ダイバーシティがオンであるとき、示されるアンテナポートが、ＷＵＳ２１５を送信するために使用されてもよい。代替的に、送信ダイバーシティがオフであるとき、示されるアンテナポートのサブセットまたは異なる数のアンテナポートが、ＷＵＳ２１５を送信するために使用されてもよい。以下の表３および４は、それぞれＫＷ０およびＫＷ１に対する値、ならびに、Ｗｍａｘに対する値を示している。
【表３】
2021507632.tif 000006
【表４】
2021507632.tif 000007
【０１０２】
［０１０９］
いくつかのケースでは、ＵＥ１１５−ａは、ＷＵＳ２１５のブラインド検出のために、ＷＵＳ２１５の実際の期間（Ｗ）を仮定してもよい。Ｗは、（例えば、ＷＵＳ２１５の構成されたまたは計算された最大期間の終了前の）ＷＵＳ２１５の早期終了を示していてもよい。ＵＥ１１５−ａはさらに、計算されたＷｍａｘとＷとの間の関係を仮定してもよく、Ｗは、ＵＥ１１５−ａが、（例えば、最大ＷＵＳ期間の間のリスニングから結果的に生じる電力消費を低減するために）最初のリスニングが終了する前に、最初に、ＷＵＳ２１５をリッスンし、次いで、ページング機会２２０のリスニングを開始する期間を示していてもよい。追加的または代替的に、Ｗが満了する前に、ＵＥ１１５−ａがＷＵＳ２１５を検出しない場合、ＵＥ１１５−ａは、Ｗｍａｘの満了より早くスリープ状態に逆戻りしてもよい。関係は、表１において上で示したように、ＲとＲｍａｘとの間の関係に類似しているかもしれない。表５は、計算されたＷｍａｘに対するＷの可能性ある値を示している。
【表５】
2021507632.tif 000008
【０１０３】
［０１１０］
１つの例では、Ｗは、Ｗｉとして表されてもよく、ｉは、第ｉ番目のＵＥ１１５を表している。Ｗｉは、以下の式２により規定されていてもよい。
【数２】
2021507632.tif 000009
【０１０４】
［０１１１］
この式では、Ｒｉは、ＵＥ１１５−ａに対して要求されたダウンリンクチャネル反復数（例えば、ＮＰＤＣＣＨ反復数）であってもよく、ＵＥ１１５−ａは、第ｉ番目のＵＥ１１５である。いくつかのケースでは、基地局１０５−ａは、ＳＩＢ（例えば、ＷＵＳコンフィギュレーションパラメータ２１０）中で、ＵＥ１１５−ａに、Ｒｉ（例えば、異なる最大結合損失（ＭＣＬ）または信号対雑音比（ＳＮＲ）に対応するＲの値）をシグナリングしてもよい。追加的または代替的に、上述したように、ページング機会２２０におけるダウンリンクチャネル２０５反復に対する可能性ある位置を監視することから（または、前のＷＵＳ２１５から）、決定されたＲ値に基づいて、ＵＥ１１５−ａによりＲｉをカウントしてもよい。
【０１０５】
［０１１２］
第２の例では、ＵＥ１１５−ａ（例えば、第ｉ番目のＵＥ１１５）は、Ｗｍａｘの値を決定していないかもしれない。代わりに、ＵＥ１１５−ａは、ＲｉとＫＷとの関数として、Ｗｉを仮定してもよく、ＫＷは上述したように規定される。例えば、ＵＥ１１５−ａは、式３中で以下のように、Ｗｉ、Ｒｉ、ＫＷ間の関係を仮定してもよい。
【数３】
2021507632.tif 000010
Ｗｉの値は、表６中で以下に示すように与えられてもよい。
【表６】
2021507632.tif 000011
【０１０６】
［０１１３］
例えば、Ｒｉ＝１０２４およびＫＷ＝３２に対して、Ｗｉ＝３２（すなわち、１０２４／３２＝３２）である。いくつかのケースでは、Ｗｉは、サブフレームの数に関して与えられてもよい。この例では、ＵＥ１１５−ａは、ＷＵＳ２１５に対するＷｍａｘを暗黙的に導出してもよい。したがって、ＵＥ１１５−ａは、ＲｉとＷｉとに基づいて、ＷＵＳ２１５に対するＷｍａｘを推定してもよい。例えば、ＵＥ１１５−ａは、以下のように、Ｗｍａｘに対して、式４により表される関係を仮定してもよい。
【数４】
2021507632.tif 000012
【０１０７】
［０１１４］
いくつかのケースでは、Ｗｍａｘの値は、早期終了の挙動に影響を与えないかもしれない。例えば、ＵＥ１１５−ａに対するＷｍａｘ値は、ＵＥ１１５−ａに対するＷｉの値に影響を与えないかもしれない。ＵＥ１１５−ａは、以下の表７に示すように、Ｒｉに基づく可能性あるＲｍａｘ値に対する表１の逆等価に基づく式４にしたがって、Ｗｍａｘを推定してもよい。
【表７】
2021507632.tif 000013
【０１０８】
［０１１５］
いくつかのケースでは、ＷＵＳ２１５に対して早期終了が使用されてもよいように、ＷＵＳ２１５に対するＭＣＬは大きくてもよい（例えば、１５４デシベル（ｄＢ）以上）。このケースでは、ＷＵＳ２１５を送信するために、ＷＵＳ２１５に対する送信ダイバーシティを使用してもよい。したがって、Ｗｉと送信ダイバーシティを達成するための最小期間との間で決定された最大値（例えば、送信ダイバーシティディメンションのケースでは、２Ｘが２に等しい）が、早期ＵＥ１１５−ａ終了のためのＷＵＳ２１５に対する長さとして示されてもよい。基地局１０５−ａは、Ｘ個の固定単位（例えば、サブフレーム、スロット）ごとに、ＷＵＳ２１５に対する送信ダイバーシティスキームを変更してもよい。
【０１０９】
［０１１６］
代替的に、ＵＥ１１５−ａは、最大ＷＵＳ２１５期間の間、ＷＵＳ２１５を監視しないことを決定してもよく、この決定に基づいて、早期終了にしたがってもよい。すなわち、ＵＥ１１５−ａは、上記で説明したように、（例えば、ＷＵＳ２１５の最大期間全体に対応するＷｍａｘよりも短い）時間Ｗｉの間、ＷＵＳ２１５を監視してもよい。ＵＥ１１５−ａは、早期終了前のＷＵＳ２１５の検出のある確率を満たすように、Ｗｉに対する値を決めてもよい。この値は、信号品質のようなパラメータに依存していてもよく、信号品質は、狭帯域基準信号（ＮＲＳ）またはセル特有基準信号（ＣＲＳ）からのＳＮＲとして示されてもよく、または、ＳＮＲに基づいていてもよい。このようなことから、ＵＥ１１５−ａは、ＷＵＳ２１５の検出のある特定の確率を満たすために、（信号品質に基づいて）ＷＵＳ２１５をどのくらい長く蓄積するかを決定してもよい。追加的に、Ｗｉに対する値は、ＷＵＳ２１５に対して使用される送信ダイバーシティスキーム、ＷＵＳ２１５に対して使用される電力ブーストなどに基づいていてもよい。
【０１１０】
［０１１７］
いくつかのケースでは、基地局１０５−ａは、ダウンリンクチャネル２０５に対する所定の反復レベル（例えば、Ｒｉ）に対応するＳＮＲまたはＭＣＬに基づいて、ＵＥ１１５−ａがＷＵＳ２１５を監視するための要求された期間Ｗｉをシグナリングしてもよい。例えば、ＵＥ１１５−ａは、−１０ｄＢ  ＳＮＲを測定するかもしれない。したがって、ＵＥ１１５−ａは、ダウンリンクチャネル２０５をデコードするために、１６個のサブフレームが必要とされることを決定してもよい。ダウンリンクチャネル２０５に対する送信スキームは、予め規定されているかまたは固定されているので、この決定は、ＮＲＳ／ＣＲＳ  ＳＮＲから知られるかもしれない。この決定に基づいて、ＷＵＳ２１５に対するサブフレームはまた、予め規定されても、または、固定されてもよい。例えば、ＵＥ１１５−ａは、２つのサブフレームの間、ＷＵＳ２１５を監視してもよい。代替的に、基地局１０５−ａは、２つのサブフレーム間、ＷＵＳ２１５を監視するように、ＵＥ１１５−ａに示してもよい。
【０１１１】
［０１１８］
追加的または代替的に、基地局１０５−ａは、ＷＵＳ２１５のために利用されるべき「送信スキーム」をシグナリングしてもよい。いくつかのケースでは、基地局１０５−ａは、どのくらいの程度の送信ダイバーシティが使用されるのかをシグナリングしてもよい。例えば、基地局１０５−ａは、電力ブーストが利用される場合などに、１、２、４、または、８つの直交方向に渡って切り替わるか否かをシグナリングしてもよい。この情報に基づいて、ＵＥ１１５−ａは、Ｗｉの値を決定してもよい。
【０１１２】
［０１１９］
いくつかのケースでは、基地局１０５−ａは、ＷＵＳコンフィギュレーションパラメータ２１０において、ＫＷ値をＵＥ１１５−ａにシグナリングしないかもしれない。代わりに、基地局１０５−ａは、ＳＩＢ中で、追加のスケーリングファクタ（βＷ）および電力ブースティング比（ＰＷ）のパラメータを示してもよい。βＷは、送信ダイバーシティディメンションに依存していてもよい。ＮＲＳのためのＥＰＲＥに対する、ＷＵＳ２１５のためのリソース要素当たりのエネルギー（ＥＰＲＥ）の比が、ＰＷで表されるかもしれない。追加的または代替的に、ＵＥ１１５−ａは、ＷＵＳ２１５に対する電力オフセットパラメータ（ｎｒｓ−ＷＵＳ−電力オフセット）により、ＰＷを決定してもよく、電力オフセットパラメータは、上位レイヤにより提供され、ＳＩＢ中で示されてもよい。いくつかのケースでは、ｎｒｓ−ＷＵＳ−電力オフセットは、−３ｄＢ、０ｄＢ、３ｄＢ、または、６ｄＢであってもよい。追加的または代替的に、セル特有電力オフセット（ｎｒｓ−ＣＲＳ−電力オフセット）はまた、基地局１０５−ａにより提供されてもよい。例えば、あるタイプの通信（例えば、ＭＴＣ）に対してＷＵＳ２１５が使用されるとき、ＵＥ１１５−ａは、異なる数のアンテナポートを有するＣＲＳのＥＰＲＥに関する、ＷＵＳ２１５に対するＥＰＲＥの予め規定されている（例えば、固定）電力関係または電力ブーストオフセットを（例えば、上位レイヤのシグナリングを用いずに）仮定してもよい。追加的に、上位レイヤシグナリングがＵＥ１１５−ａにより受信されないとき、電力関係または電力ブーストオフセットは、基準信号（例えば、ＣＲＳ）とＷＵＳ２１５との間の固定電力比を含んでいてもよい。例えば、ＵＥ１１５−ａは、ＷＵＳ２１５に対するＥＰＲＥがＮＲＳに対するＥＰＲＥと同じであることを仮定してもよい。ＰＷの値は、基地局１０５−ａのＮＲＳアンテナポートの数にさらに依存していてもよい。例えば、基地局１０５−ａが１つのアンテナポートを有している場合、ＰＷは［０＋（ｎｒｓ−ＷＵＳ−電力オフセット）］であることと、基地局１０５−ａが２つのアンテナポートを有している場合、ＰＷは［−３＋（ｎｒｓ−ＷＵＳ−電力オフセット）］であることとを、ＵＥ１１５−ａは仮定してもよい。いくつかのケースでは、上位レイヤによりパラメータ（ｎｒｓ−ＷＵＳ−電力オフセット）が提供されない場合には、ＰＷは０ｄＢであると仮定されてもよい。ＵＥ１１５−ａは、以下の式５を使用して、ＲｍａｘとβＷとＰＷとに基づいて、Ｗｍａｘを計算してもよい。
【数５】
2021507632.tif 000014
【０１１３】
［０１２０］
この式では、βＷは、ＷＵＳ２１５送信ダイバーシティディメンションに依存して、１、２、または、４であってもよい。ＵＥ１１５−ａは、基地局１０５−ａに対するアンテナポートが、平均遅延またはドップラーシフトに関して、擬似コロケートアンテナポートであると仮定してもよい。基地局１０５−ａは、送信ダイバーシティスキームを変更して、ＷＵＳ２１５検出を改善してもよい。例えば、基地局１０５−ａは、サイクリングまたはアンテナ切り替えをプリコーディングしてもよい。別の例では、基地局１０５−ａは、Ｘ時間単位（例えば、Ｘ個のサブフレーム）の間、（例えば、同じチャネル遅延拡散を共有することに関して）ＷＵＳ２１５がアンテナポート０またはアンテナポート１を使用するかもしれないことを示してもよい。Ｘ時間単位内の同じチャネル特性を仮定すると、ＵＥ１１５−ａは、ＷＵＳ２１５に対してコヒーレント検出を行うことが可能かもしれない。
【０１１４】
［０１２１］
いくつかのケースでは、基地局１０５−ａは、ＷＵＳ２１５の送信スキームに対するパラメータを示してもよい。したがって、ＵＥ１１５−ａは、ＷＵＳ２１５を検出するために、これらのパラメータを使用してもよい。１つの例では、基地局１０５−ａは、個々のパラメータを示す送信パターンインデックスを示してもよい。他の例では、基地局１０５−ａは、個々のパラメータを明示的に示していてもよい。基地局１０５−ａは、パラメータ（Ｘ，Ｙ）を通して、これらの個々のパラメータを示してもよく、Ｘは、構成可能な時間単位または固定時間単位（例えば、サブフレーム、スロット）であってもよい。例えば、ＵＥ１１５−ａが、ＷＵＳ２１５が同じアンテナまたはアンテナポート上で送られるかもしれないことを仮定し、アンテナ／アンテナポートの仮定に基づいて、コヒーレント合成を実行するかもしれない、Ｘ個のサブフレームをＸは示しているかもしれない。Ｙは、ＵＥ１１５−ａへの構成可能なダイバーシティディメンションを示しているかもしれない。例えば、基地局１０５−ａは、ＷＵＳ２１５が、予め規定されている単位（例えば、サブフレーム）ごとにＹ個のアンテナまたはアンテナポートを通して切り替わるかもしれないことを示してもよい。表８は、パラメータ（Ｘ，Ｙ）に基づいている所定のパターンに対するアンテナポートインデックスの数を示している。
【表８】
2021507632.tif 000015
【０１１５】
［０１２２］
ＷＵＳ２１５が時間期間（例えば、サブフレーム）の開始または終了に位置合わせされているか否かに依存して、ＵＥ１１５−ａは、ＷＵＳ２１５に対する時間期間の始まりを監視し、監視を早期に終了してもよく、あるいは、ＵＥ１１５−ａは、ＷＵＳ２１５の検出を短縮するために、ＷＵＳ２１５の監視をもっと後に（例えば、時間期間が時間期間の開始を過ぎた後に）開始してもよい。例えば、表８からのパターン３Ａが示され、ＷＵＳ２１５が時間期間の開始に位置合わせされている場合、基地局１０５−ａは、「０１００１１００１１……」のように、パターン３Ａの順序にしたがって、反復されたＷＵＳシーケンスを送ってもよい。ＵＥ１１５−ａに対して、ＭＣＬ＝１５４ｄＢである場合、ＵＥ１１５−ａは、最初の２つのサブフレーム（すなわち、「０１」）を検出する必要があるかもしれないが、ＭＣＬ＝１６４ｄＢである場合、ＵＥ１１５−ａは、ＷＵＳ２１５の検出が成功するために、「０１００１１００１１……」の全体を検出する必要があるかもしれない。別の例では、表８からのパターン３Ａが示され、ＷＵＳ２１５が最後に位置合わせされている場合、基地局１０５−ａは、「……１１００１１００１０」のような、パターン３Ａの逆の順序にしたがって、反復されたＷＵＳシーケンスを送ってもよい。ＭＣＬ＝１５４ｄＢである場合、ＵＥ１１５−ａは、もっと後に監視を開始し、最後の２つのサブフレーム（すなわち、「１０」）を検出する必要があるかもしれないが、ＭＣＬ＝１６４ｄＢの場合、ＵＥ１１５−ａは、ＷＵＳ２１５の検出が成功するために、より早く監視を開始し、「……１１００１１００１０」の全体を検出する必要があるかもしれない。
【０１１６】
［０１２３］
図３は、本開示のさまざまな態様による、ワイヤレス通信のためのＷＵＳコンフィギュレーションをサポートするプロセスフロー３００の例を示している。いくつかの例では、プロセスフロー３００は、ワイヤレス通信システム１００および２００の態様を実現してもよい。プロセスフローは、基地局１０５−ｂとＵＥ１１５−ｂとを含んでいてもよく、これらは、それぞれ、図１および図２を参照して説明したような、基地局１０５およびＵＥ１１５の例であってもよい。基地局１０５−ｂは、スケジューリング情報および／またはページングメッセージを送信する前に、ＵＥ１１５−ｂにＷＵＳを送信してもよい。いくつかのケースでは、基地局１０５−ｂまたはＵＥ１１５−ｂは、ここで説明するように、ＷＵＳに対する期間を決定してもよい。
【０１１７】
［０１２４］
プロセスフロー３００の以下の説明では、ＵＥ１１５−ｂと基地局１０５−ｂとの間の動作は、異なる順序で、または、異なる時間に、実行してもよい。ある動作はまた、プロセスフロー３００から除外してもよく、または、他の動作をプロセスフロー３００に追加してもよい。基地局１０５−ｂおよびＵＥ１１５−ｂが、プロセスフロー３００の多数の動作を実行していることが示されているが、任意のワイヤレスデバイスが、示されている動作を実行してもよいことを理解されたい。
【０１１８】
［０１２５］
３０５において、基地局１０５−ｂは、ＷＵＳに関係するスケーリングファクタ（例えば、ＫＷ）を決定してもよく、スケーリングファクタは、ＷＵＳに対する送信特性に基づいている。いくつかのケースでは、送信特性は、ＷＵＳに対する送信電力、ＷＵＳに対する送信ダイバーシティスキーム、ＷＵＳ検出の前のＵＥ１１５−ｂのレガシー同期信号検出、ＷＵＳとＮＲＳとの間の電力比、ＵＥ１１５−ｂに関係するＭＣＬ、または、これらの組み合わせを含んでいてもよい。電力比は、ＥＰＲＥ電力比を含んでいてもよい。いくつかのケースでは、ＳＮＲは、ＷＵＳと狭帯域基準信号との間の電力比に基づいて決定されてもよく、ＳＮＲに基づいて、ＷＵＳに対して、単一ポートＳＮＲが推定される。追加的に、送信ダイバーシティスキームは、各パターンが固定基本単位の数と送信ダイバーシティディメンションとを規定する、固定パターンのパターンインデックスを含んでいてもよく、または、固定基本単位の数と送信ダイバーシティディメンションとを含んでいてもよい。追加的に、固定基本単位は、サブフレーム、１ミリ秒ＴＴＩ、スロット、または、ミニスロットの数を含んでいてもよい。追加的または代替的に、スケーリングファクタは、ＵＥ１１５−ｂに対するＳＮＲを識別することに基づいて決定されてもよい。
【０１１９】
［０１２６］
３１０において、基地局１０５−ｂは、スケーリングファクタの表示をＵＥ１１５−ｂに送信してもよい。いくつかのケースでは、基地局１０５−ｂは、スケーリングファクタの表示、スケーリングファクタの値、狭帯域基準信号とＷＵＳとの間の電力比を示す電力オフセットパラメータ、または、これらの組み合わせを含む、ＳＩＢを送信してもよい。いくつかのケースでは、（例えば、上位レイヤシグナリングが受信されない場合）狭帯域基準信号とＷＵＳとの間の電力比は、予め規定されていてもよく、または、固定されていてもよい。追加的または代替的に、ＭＴＣに対して、電力比は、（例えば、上位レイヤシグナリングが受信されない場合）セル特有基準信号とＷＵＳとの間の比として固定されて（例えば、予め規定されて）いてもよく、ＷＵＳはＭＴＣに関係している。スケーリングファクタの表示は、ＷＵＳに対する送信スキームを含んでいてもよい。いくつかのケースでは、ＵＥ１１５−ｂは、送信スキームに基づいて、ＷＵＳに関係するスケーリングファクタを決定してもよい。
【０１２０】
［０１２７］
３１５において、基地局１０５−ｂは、ＷＵＳに関する追加の特性をＵＥ１１５−ｂに送信してもよい。例えば、基地局１０５−ｂは、ＵＥ１１５−ｂに基準信号を送信してもよい。いくつかのケースでは、基準信号は、ＮＲＳまたはＣＲＳを含んでいてもよい。追加的または代替的に、基地局１０５−ｂは、ＷＵＳの送信のための送信ダイバーシティディメンションの表示をＵＥ１１５−ｂに送信してもよい。いくつかのケースでは、基地局１０５−ｂは、構成された単位（例えば、２つのサブフレーム）ごとに１つのアンテナポート上で切り替わるアンテナの数に、または、構成された単位（例えば、２つのサブフレーム）ごとにすべてのアンテナポート上で切り替わるアンテナポートの数に基づいて、送信ダイバーシティのディメンションを決定してもよく、構成された単位は、ＷＵＳ送信に対する固定基本単位の数を含んでいる。追加的または代替的に、基地局１０５−ｂは、ＳＩＢ中で、関係する狭帯域制御チャネル（例えば、ＮＰＤＣＣＨ）の反復の最大数（例えば、Ｒｍａｘ）を送信してもよい。
【０１２１】
［０１２８］
３２０において、基地局１０５−ｂは、スケーリングファクタと関係する制御チャネル反復パラメータとの間の関係に基づいて、ＷＵＳの期間（例えば、ＷＵＳ時間期間）（例えば、ＷまたはＷｉ）を決定してもよい。いくつかのケースでは、ＷＵＳの期間は、基準信号の信号品質と検出しきい値の確率とに基づいている。追加的または代替的に、ＷＵＳの期間は、（例えば、ＷＵＳの最大期間を示す表を介しての）ＷＵＳの最大期間、関係する狭帯域制御チャネル（例えば、ＮＰＤＣＣＨ）の反復の最大数（例えば、Ｒｍａｘ）、ＵＥ１１５−ｂに対する関係する狭帯域制御チャネルの反復の要求された数、または、これらの組み合わせに基づいて決定されてもよい。追加的または代替的に、ＷＵＳの期間は、関係する狭帯域制御チャネルの反復の最大数に基づいていてもよい。いくつかのケースでは、ＷＵＳの期間は、ＷＵＳの最大期間（例えば、Ｗｍａｘ）に対応していてもよい。したがって、関係する制御チャネル反復パラメータは、ページングのための関係する狭帯域制御チャネルの反復の最大数に対応していてもよい。
【０１２２】
［０１２９］
３２５において、基地局は、ＷＵＳに対する要求された期間（例えば、ＷＵＳ時間期間の表示）をＵＥ１１５−ｂに送信してもよく、要求された期間は、ＵＥ１１５−ｂに関係するターゲットＳＮＲまたはＭＣＬに基づいている。
【０１２３】
［０１３０］
３３０において、ＵＥ１１５−ｂは、スケーリングファクタと関係する制御チャネル反復パラメータとの間の関係に基づいて、ＷＵＳの期間（例えば、ＷＵＳ時間期間）を決定してもよい。ＵＥ１１５−ｂは、３２０において、基地局１０５−ｂがＷＵＳの期間を決定するのに加えて、または、これに代えて、ＷＵＳの期間を決定してもよい。いくつかのケースでは、ＵＥ１１５−ｂは、基準信号の信号品質と検出しきい値の確率とに基づいて、ＷＵＳに対する受信期間を決定してもよい。例えば、受信期間は、ＷＵＳに対する送信特性に基づいて決定されてもよい。追加的に、ＵＥ１１５−ｂは、３１５において、基地局１０５−ｂから基準信号を受信し、基準信号の信号品質を測定してもよい。
【０１２４】
［０１３１］
いくつかのケースでは、ＵＥ１１５−ｂは、関係する制御チャネル反復パラメータとスケーリングファクタとの比に基づいて、ＷＵＳの最大期間（例えば、Ｗｍａｘ）を決定してもよい。追加的または代替的に、ＵＥ１１５−ｂは、ＷＵＳの最大期間、狭帯域制御チャネル上の送信の反復の最大数、ＵＥ１１５−ｂに対する関係する狭帯域制御チャネルの反復の要求された数、または、これらの組み合わせに基づいて、ＷＵＳの期間を決定してもよい。追加的または代替的に、ＵＥ１１５−ｂは、狭帯域制御チャネル上の送信の反復の最大数に基づいて、ＷＵＳの期間を決定してもよい。いくつかのケースでは、ＷＵＳの期間は、ＷＵＳの最大期間（例えば、Ｗｍａｘ）に対応していてもよい。したがって、関係する制御チャネル反復パラメータは、ページングのための関係する狭帯域制御チャネルの反復の最大数に対応していてもよい。追加的に、ＵＥ１１５−ｂは、ＵＥ１１５−ｂに関係するターゲットＳＮＲまたはＭＣＬに基づいて、早期終了期間を決定してもよい。
【０１２５】
［０１３２］
３３５において、基地局１０５−ｂは、期間に対する送信特性にしたがっているＷＵＳをＵＥ１１５−ｂに送信してもよい。ＷＵＳを受信することに基づいて、ＵＥ１１５−ｂは、スケジューリング情報のために、基地局からのダウンリンクチャネルを監視してもよく、スケジューリング情報は、基地局からのページングメッセージのための情報を含んでいる。
【０１２６】
［０１３３］
図４は、本開示の態様による、ワイヤレス通信のためのＷＵＳコンフィギュレーションをサポートするワイヤレスデバイス４０５のブロック図４００を示している。ワイヤレスデバイス４０５は、ここで説明するようなＵＥ１１５の態様の例であってもよい。ワイヤレスデバイス４０５は、受信機４１０と、ＵＥ通信マネージャ４１５と、送信機４２０とを含んでいてもよい。ワイヤレスデバイス４０５はまた、プロセッサを含んでいてもよい。これらのコンポーネントのそれぞれは、（例えば、１つ以上のバスを介して）互いに通信してもよい。
【０１２７】
［０１３４］
受信機４１０は、さまざまな情報チャネル（例えば、制御チャネル、データチャネル、および、ワイヤレス通信のためのＷＵＳコンフィギュレーションに関連する情報など）に関係する、パケット、ユーザデータ、または、制御情報のような、情報を受信してもよい。情報は、デバイスの他のコンポーネントに渡されてもよい。受信機４１０は、図７を参照して説明するトランシーバ７３５の態様の例であってもよい。受信機４１０は、単一のアンテナまたはアンテナのセットを利用してもよい。
【０１２８】
［０１３５］
ＵＥ通信マネージャ４１５は、図７を参照して説明するＵＥ通信マネージャ７１５の態様の例であってもよい。ＵＥ通信マネージャ４１５および／またはそのさまざまなサブコンポーネントのうちの少なくともいくつかは、ハードウェア、プロセッサにより実行されるソフトウェア、ファームウェア、または、これらの任意の組み合わせで実現してもよい。プロセッサにより実行されるソフトウェアで実現される場合、ＵＥ通信マネージャ４１５および／またはそのさまざまなサブコンポーネントの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）、または、他のプログラマブル論理デバイス、ディスクリートゲートまたはトランジスタ論理、ディスクリートハードウェアコンポーネント、あるいは、本開示で説明する機能を実行するように設計されているこれらの任意の組み合わせにより実行してもよい。
【０１２９】
［０１３６］
ＵＥ通信マネージャ４１５および／またはそのさまざまなサブコンポーネントのうちの少なくともいくつかは、機能の一部が、１つ以上の物理デバイスにより異なる物理的位置において実現されるように分散されることを含む、さまざまな位置に物理的に位置していてもよい。いくつかの例では、ＵＥ通信マネージャ４１５および／またはそのさまざまなサブコンポーネントのうちの少なくともいくつかは、本開示のさまざまな態様による、別個の異なるコンポーネントであってもよい。他の例では、ＵＥ通信マネージャ４１５および／またはそのさまざまなサブコンポーネントのうちの少なくともいくつかは、本開示のさまざまな態様による、限定はしないが、Ｉ／Ｏコンポーネント、トランシーバ、ネットワークサーバ、別のコンピューティングデバイス、本開示で説明する１つ以上の他のコンポーネント、または、これらの組み合わせを含む、１つ以上の他のハードウェアコンポーネントと組み合わせてもよい。
【０１３０】
［０１３７］
ＵＥ通信マネージャ４１５は、ＷＵＳに関係するスケーリングファクタの表示を基地局から受信してもよく、スケーリングファクタは、ＷＵＳに対する送信特性に基づいている。追加的に、ＵＥ通信マネージャ４１５は、ＷＵＳ時間期間の間に、送信特性にしたがっているＷＵＳを基地局から受信してもよく、ＷＵＳ時間期間は、スケーリングファクタと関係する制御チャネル反復パラメータとに基づいて決定される。いくつかのケースでは、ＵＥ通信マネージャ４１５は、受信したＷＵＳに基づいて、スケジューリング情報のために、基地局からのダウンリンクチャネルを監視してもよく、スケジューリング情報は、基地局からのページングメッセージのための情報を含んでいる。
【０１３１】
［０１３８］
送信機４２０は、デバイスの他のコンポーネントにより発生される信号を送信してもよい。いくつかの例では、送信機４２０は、トランシーバモジュール中の受信機４１０とコロケートさせてもよい。例えば、送信機４２０は、図７を参照して説明するトランシーバ７３５の態様の例であってもよい。送信機４２０は、単一のアンテナまたはアンテナのセットを利用してもよい。
【０１３２】
［０１３９］
図５は、本開示の態様による、ワイヤレス通信のためのＷＵＳコンフィギュレーションをサポートするワイヤレスデバイス５０５のブロック図５００を示している。ワイヤレスデバイス５０５は、図４を参照して説明したような、ワイヤレスデバイス４０５またはＵＥ１１５の態様の例であってもよい。ワイヤレスデバイス５０５は、受信機５１０と、ＵＥ通信マネージャ５１５と、送信機５２０とを含んでいてもよい。ワイヤレスデバイス５０５はまた、プロセッサを含んでいてもよい。これらのコンポーネントのそれぞれは、（例えば、１つ以上のバスを介して）互いに通信してもよい。
【０１３３】
［０１４０］
受信機５１０は、さまざまな情報チャネル（例えば、制御チャネル、データチャネル、および、ワイヤレス通信のためのＷＵＳコンフィギュレーションに関連する情報など）に関係する、パケット、ユーザデータ、または、制御情報のような、情報を受信してもよい。情報は、デバイスの他のコンポーネントに渡されてもよい。受信機５１０は、図７を参照して説明するトランシーバ７３５の態様の例であってもよい。受信機５１０は、単一のアンテナまたはアンテナのセットを利用してもよい。
【０１３４】
［０１４１］
ＵＥ通信マネージャ５１５は、図７を参照して説明するＵＥ通信マネージャ７１５の態様の例であってもよい。ＵＥ通信マネージャ５１５はまた、表示コンポーネント５２５と、期間コンポーネント５３０と、ＷＵＳコンポーネント５３５とを含んでいてもよい。
【０１３５】
［０１４２］
表示コンポーネント５２５は、ＷＵＳに関係するスケーリングファクタの表示を基地局から受信してもよく、スケーリングファクタは、ＷＵＳに対する送信特性に基づいている。追加的に、表示コンポーネント５２５は、送信スキームに基づいて、ＷＵＳに関係するスケーリングファクタを決定してもよい。いくつかのケースでは、スケーリングファクタの表示は、ＷＵＳに対する送信スキームを含んでいる。いくつかの例では、スケーリングファクタの表示を受信することは、スケーリングファクタの表示、スケーリングファクタの値、または、これらの組み合わせを含む、ＳＩＢを受信することを含んでいる。追加的に、表示コンポーネント５２５は、ＳＩＢ中で、ＷＵＳに対する電力オフセットパラメータを受信してもよい。いくつかのケースでは、電力オフセットパラメータは、上位レイヤシグナリングがないとき、狭帯域基準信号とＷＵＳとの間の固定電力比を含んでいてもよい。追加的または代替的に、電力オフセットパラメータまたは電力関係は、上位レイヤシグナリングがないとき、セル特有基準信号とＷＵＳとの間の固定電力比を含んでいてもよく、ＷＵＳはＭＴＣに関係している。
【０１３６】
［０１４３］
いくつかの態様では、送信特性は、ＷＵＳに対する送信電力、ＷＵＳに対する送信ダイバーシティスキーム、ＷＵＳ受信前のレガシー同期信号検出、ＷＵＳと狭帯域基準信号との間の電力比、ＵＥに関係するＭＣＬ、または、これらの組み合わせを含んでいてもよい。追加的または代替的に、ＳＮＲは、ＷＵＳと狭帯域基準信号との間の電力比に基づいて決定されてもよく、ＳＮＲに基づいて、ＷＵＳに対して、単一ポートＳＮＲが推定される。いくつかの例では、電力比は、ＥＰＲＥ電力比を含んでいる。
【０１３７】
［０１４４］
期間コンポーネント５３０は、スケーリングファクタと関係する制御チャネル反復パラメータ（例えば、関係する制御チャネルの最大反復）との間の関係に基づいて、ＷＵＳ時間期間を決定してもよい。期間コンポーネント５３０は、ＷＵＳ対する要求された期間を基地局から受信してもよく、ＷＵＳの期間は、ＷＵＳに対する要求された期間に基づいて決定される。追加的に、期間コンポーネント５３０は、ＳＩＢ中で、狭帯域制御チャネル送信の反復の最大数を受信してもよく、ＷＵＳの期間は、狭帯域制御チャネル送信の反復の最大数に基づいて決定される。
【０１３８】
［０１４５］
いくつかのケースでは、ＷＵＳの期間を決定することは、基準信号の信号品質と検出しきい値の確率とに基づいて、ＷＵＳに対する受信期間を決定することを含んでいる。いくつかの例では、受信期間は、ＷＵＳに対する送信特性に基づいて決定される。いくつかの態様では、ＷＵＳの期間を決定することは、関係する制御チャネル反復パラメータとスケーリングファクタとの比に基づいて、ＷＵＳの最大期間を決定することを含んでいてもよい。いくつかの事例では、ＷＵＳの期間は、（例えば、ＷＵＳの最大期間のための表に示されているような）ＷＵＳの最大期間、関係する狭帯域制御チャネル上の送信の反復の最大数、ＵＥに対する関係する狭帯域制御チャネルの反復の要求された数、または、これらの組み合わせに基づいて決定されてもよい。
【０１３９】
［０１４６］
いくつかのケースでは、ＷＵＳの期間は、ＷＵＳの最大期間に対応していてもよい。いくつかの例では、関係する制御チャネル反復パラメータは、ページングのための狭帯域制御チャネル上の送信の反復の最大数に対応していてもよい。いくつかの態様では、ＷＵＳの期間を決定することは、ＵＥに関係するターゲットＳＮＲまたはＭＣＬに基づいて、早期終了期間を決定することを含んでいてもよい。
【０１４０】
［０１４７］
ＷＵＳコンポーネント５３５は、ＷＵＳ時間期間の間に、ＷＵＳの送信特性にしたがっているＷＵＳを基地局から受信してもよい。追加的に、ＷＵＳコンポーネント５３５は、受信したＷＵＳに基づいて、スケジューリング情報のために、基地局からのダウンリンクチャネルを監視してもよく、スケジューリング情報は、基地局からのページングメッセージのための情報を含んでいる。
【０１４１】
［０１４８］
送信機５２０は、デバイスの他のコンポーネントにより発生される信号を送信してもよい。いくつかの例では、送信機５２０は、トランシーバモジュール中の受信機５１０とコロケートさせてもよい。例えば、送信機５２０は、図７を参照して説明するトランシーバ７３５の態様の例であってもよい。送信機５２０は、単一のアンテナまたはアンテナのセットを利用してもよい。
【０１４２】
［０１４９］
図６は、本開示の態様による、ワイヤレス通信のためのＷＵＳコンフィギュレーションをサポートするＵＥ通信マネージャ６１５のブロック図６００を示している。ＵＥ通信マネージャ６１５は、図４、図５、および、図７を参照して説明する、ＵＥ通信マネージャ４１５、ＵＥ通信マネージャ５１５、または、ＵＥ通信マネージャ７１５の態様の例であってもよい。ＵＥ通信マネージャ６１５は、表示コンポーネント６２０と、期間コンポーネント６２５と、ＷＵＳコンポーネント６３０と、基準信号コンフィギュレーションコンポーネント６３５と、送信ダイバーシティコンポーネント６４０とを含んでいてもよい。これらのモジュールのそれぞれは、直接的または間接的に、（例えば、１つ以上のバスを介して）互いに通信してもよい。
【０１４３】
［０１５０］
表示コンポーネント６２０は、（例えば、受信機４１０または５１０を介して）基地局から信号６４５を受信してもよい。いくつかのケースでは、信号６４５は、（例えば、信号６４５を復調およびデコードして、スケーリングファクタを識別することにより）ＷＵＳに関係するスケーリングファクタの表示を含んでいてもよく、スケーリングファクタは、ＷＵＳに対する送信特性に基づいている。追加的に、表示コンポーネント６２０は、送信スキームに基づいて、ＷＵＳに関係するスケーリングファクタを決定する。いくつかのケースでは、スケーリングファクタの表示は、ＷＵＳに対する送信スキームを含んでいる。いくつかの例では、スケーリングファクタの表示を受信することは、スケーリングファクタの表示、スケーリングファクタの値、または、これらの組み合わせを含む、ＳＩＢを受信することを含んでいてもよい。追加的に、表示コンポーネント６２０は、ＳＩＢ中で、ＷＵＳに対する電力オフセットパラメータを受信する。いくつかのケースでは、電力オフセットパラメータまたは電力関係は、上位レイヤシグナリングがないとき、狭帯域基準信号とＷＵＳとの間の固定電力比を含んでいてもよい。追加的または代替的に、電力オフセットパラメータは、上位レイヤシグナリングがないとき、セル特有基準信号とＷＵＳとの間の固定電力比を含んでいてもよく、ＷＵＳはＭＴＣに関係している。
【０１４４】
［０１５１］
いくつかの態様では、送信特性は、ＷＵＳに対する送信電力、ＷＵＳに対する送信ダイバーシティスキーム、ＷＵＳ受信前のレガシー同期信号検出、ＷＵＳと狭帯域基準信号との間の電力比、ＵＥに関係するＭＣＬ、または、これらの組み合わせを含んでいてもよい。追加的または代替的に、ＳＮＲは、ＷＵＳと狭帯域基準信号との間の電力比に基づいて決定されてもよく、ＳＮＲに基づいて、ＷＵＳに対して、単一ポートＳＮＲが推定される。いくつかの事例では、電力比は、ＥＰＲＥ電力比を含んでいる。表示コンポーネント６２０は、スケーリングファクタを示す情報６５０を期間コンポーネント６２５に渡してもよい。
【０１４５】
［０１５２］
期間コンポーネント６２５は、スケーリングファクタと関係する制御チャネル反復パラメータ（例えば、関係する制御チャネルの最大反復）との間の関係に基づいて、ＷＵＳ時間期間を決定してもよい。いくつかのケースでは、期間コンポーネント６２５は、表示コンポーネント６２０から受け取った情報６５０に基づいて、ＷＵＳの期間を決定してもよい。期間コンポーネント６２５はまた、（例えば、受信機４１０または５１０を介して）基地局から信号６５５を受信してもよい。いくつかのケースでは、信号６５５は、ＷＵＳに対する要求された期間を含んでいてもよく、ＷＵＳの期間は、ＷＵＳに対する要求された期間に基づいて決定される。追加的に、期間コンポーネント６２５が受信する信号６５５は、（例えば、信号６５５を復調およびデコードして、反復の最大数を決定することにより）ＳＩＢ中に、狭帯域制御チャネル送信の反復の最大数の表示を含んでいてもよく、ＷＵＳの期間は、狭帯域制御チャネル送信の反復の最大数に基づいて決定される。
【０１４６】
［０１５３］
いくつかのケースでは、ＷＵＳの期間を決定することは、基準信号の信号品質と検出しきい値の確率とに基づいて、ＷＵＳに対する受信期間を決定することを含んでいてもよい。いくつかの例では、受信期間は、ＷＵＳに対する送信特性に基づいて決定されてもよい。追加的または代替的に、ＷＵＳの期間を決定することは、関係する制御チャネル反復パラメータとスケーリングファクタとの比に基づいて、ＷＵＳの最大期間を決定することを含んでいてもよい。いくつかの事例では、ＷＵＳの期間は、（例えば、ＷＵＳの最大期間に対する表に示されているような）ＷＵＳの最大期間、関係する狭帯域制御チャネルの反復の最大数、ＵＥに対する関係する狭帯域制御チャネルの反復の要求された数、または、これらの組み合わせに基づいて決定されてもよい。
【０１４７】
［０１５４］
いくつかのケースでは、ＷＵＳの期間は、ＷＵＳの最大期間に対応している。いくつかのケースでは、関係する制御チャネル反復パラメータは、ページングのための関係する狭帯域制御チャネルの反復の最大数に対応している。いくつかの態様では、ＷＵＳの期間を決定することは、ＵＥに関係するターゲットＳＮＲまたはＭＣＬに基づいて、早期終了期間を決定することを含んでいてもよい。期間コンポーネント６２５は、決定した期間を示す情報６６０を、ＷＵＳコンポーネント６３０に渡してもよい。
【０１４８】
［０１５５］
ＷＵＳコンポーネント６３０は、ＷＵＳ時間期間の間に、（例えば、受信機４１０または５１０を介して）基地局から信号６６５を受信してもよい。いくつかのケースでは、信号６６５は、（例えば、信号６６５を復調およびデコードして、ＷＵＳを識別することにより）期間に対する送信特性にしたがっているＷＵＳを含んでいてもよい。ＷＵＳコンポーネント６３０は、期間コンポーネント６２５から受け取った情報６６０に基づいて、ＷＵＳを受信するための期間を決定してもよい。追加的に、ＷＵＳコンポーネント６３０は、受信したＷＵＳに基づいて、スケジューリング情報のために、基地局からのダウンリンクチャネルを監視してもよく、スケジューリング情報は、基地局からのページングメッセージのための情報を含んでいる。
【０１４９】
［０１５６］
基準信号コンポーネント６３５は、（例えば、受信機４１０または５１０を介して）基地局から信号６７０を受信してもよい。いくつかのケースでは、信号６７０は、（例えば、信号６７０を復調およびデコードして、基準信号を識別することにより）基地局からの基準信号を含んでいてもよい。追加的に、基準信号コンポーネント６３５は、基準信号の信号品質を測定してもよい。基準信号コンポーネント６３５は、基準信号を示す情報６７５を期間コンポーネント６２５に渡してもよく、期間コンポーネント６２５は、上述のように、基準信号の信号品質に基づいて、ＷＵＳに対する期間を決定する。
【０１５０】
［０１５７］
送信ダイバーシティコンポーネント６４０は、（例えば、受信機４１０または５１０を介して）基地局から信号６８０を受信してもよい。いくつかのケースでは、信号６８０は、ＷＵＳの送信のための送信ダイバーシティディメンションの表示を含んでいてもよい。いくつかのケースでは、送信ダイバーシティディメンションは、構成された単位（例えば、２つのサブフレーム）ごとに１つのアンテナポート上で切り替わるアンテナの数により、または、構成された単位（例えば、２つのサブフレーム）ごとにすべてのアンテナポート上で切り替わるアンテナの数により、決定されてもよく、構成された単位は、ＷＵＳ送信のための固定基本単位の数を含んでいる。いくつかの例では、送信ダイバーシティスキームは、各パターンが固定基本単位の数と送信ダイバーシティディメンションとを規定する、固定パターンのパターンインデックスを含んでおり、または、固定基本単位の数と送信ダイバーシティディメンションの数とを含んでいる。いくつかの態様では、固定基本単位は、サブフレーム、１ミリ秒ＴＴＩ、スロット、ミニスロットの数を含んでいる。送信ダイバーシティコンポーネント６４０は、送信ダイバーシティディメンションを示す情報６８５を表示コンポーネント６２０に渡してもよく、表示コンポーネント６２０は、上述のように、ＷＵＳに対する送信ダイバーシティスキーム（例えば、送信ダイバーシティディメンション）に基づいて、部分的にスケーリングファクタを決定する。
【０１５１】
［０１５８］
図７は、本開示の態様による、ワイヤレス通信のためのＷＵＳコンフィギュレーションをサポートするデバイス７０５を含むシステム７００の図を示している。デバイス７０５は、例えば、図４および図５を参照して上記で説明したような、ワイヤレスデバイス４０５、ワイヤレスデバイス５０５、または、ＵＥ１１５のコンポーネントの例であってもよく、または、これらを含んでいてもよい。デバイス７０５は、ＵＥ通信マネージャ７１５、プロセッサ７２０、メモリ７２５、ソフトウェア７３０、トランシーバ７３５、アンテナ７４０、および、Ｉ／Ｏ制御装置７４５を含む、通信を送信および受信するためのコンポーネントを含む、双方向音声およびデータ通信のためのコンポーネントを含んでいてもよい。これらのコンポーネントは、１つ以上のバス（例えば、バス７１０）を介して、電子通信してもよい。デバイス７０５は、１つ以上の基地局１０５とワイヤレスに通信してもよい。
【０１５２】
［０１５９］
プロセッサ７２０は、インテリジェントハードウェアデバイス、（例えば、汎用プロセッサ、ＤＳＰ、中央処理ユニット（ＣＰＵ）、マイクロ制御装置、ＡＳＩＣ、ＦＰＧＡ、プログラマブル論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ７２０は、メモリ制御装置を使用して、メモリアレイを動作させるように構成されていてもよい。他のケースでは、メモリ制御装置は、プロセッサ７２０に統合されていてもよい。プロセッサ７２０は、メモリに記憶されているコンピュータ読取可能命令を実行して、さまざまな機能（例えば、ワイヤレス通信のためのＷＵＳコンフィギュレーションをサポートする機能またはタスク）を実行するように構成されていてもよい。
【０１５３】
［０１６０］
メモリ７２５は、ランダムアクセスメモリ（ＲＡＭ）およびリードオンリーメモリ（ＲＯＭ）を含んでいてもよい。メモリ７２５は、実行されたとき、プロセッサに、ここで説明するさまざまな機能を実行させる命令を含む、コンピュータ読取可能、コンピュータ実行可能ソフトウェア７３０を記憶していてもよい。いくつかのケースでは、メモリ７２５は、とりわけ、周辺コンポーネントまたはデバイスとの対話のような、基本的なハードウェアまたはソフトウェア動作を制御していてもよい基本入力／出力システム（ＢＩＯＳ）を含んでいてもよい。
【０１５４】
［０１６１］
ソフトウェア７３０は、ワイヤレス通信のためのＷＵＳコンフィギュレーションをサポートするためのコードを含む、本開示の態様を実現するためのコードを含んでいてもよい。ソフトウェア７３０は、システムメモリまたは他のメモリのような、非一時的コンピュータ読取可能媒体中に記憶されていてもよい。いくつかのケースでは、ソフトウェア７３０は、プロセッサにより直接実行可能でなくてもよいが、（例えば、コンパイルされ実行されたときに）ここで説明する機能をコンピュータに実行させてもよい。
【０１５５】
［０１６２］
トランシーバ７３５は、上述のように、１本以上のアンテナ、有線リンク、または、ワイヤレスリンクを介して、双方向に通信してもよい。例えば、トランシーバ７３５は、ワイヤレストランシーバを表していてもよく、別のワイヤレストランシーバと双方向に通信してもよい。トランシーバ７３５はまた、パケットを変調し、変調されたパケットを送信のためにアンテナに提供し、アンテナから受け取ったパケットを復調するモデムを含んでいてもよい。
【０１５６】
［０１６３］
いくつかのケースでは、ワイヤレスデバイスは、単一のアンテナ７４０を含んでいてもよい。しかしながら、いくつかのケースでは、デバイスは、複数のワイヤレス送信を同時に送信または受信することができてもよい、１本より多いアンテナ７４０を有していてもよい。
【０１５７】
［０１６４］
Ｉ／Ｏ制御装置７４５は、デバイス７０５に対する入力信号および出力信号を管理してもよい。Ｉ／Ｏ制御装置７４５はまた、デバイス７０５に統合されていない周辺機器を管理してもよい。いくつかのケースでは、Ｉ／Ｏ制御装置７４５は、外部の周辺機器への物理的な接続またはポートを表していてもよい。いくつかのケースでは、Ｉ／Ｏ制御装置７４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または、別の既知のオペレーティングシステムのような、オペレーティングシステムを利用してもよい。他のケースでは、Ｉ／Ｏ制御装置７４５は、モデム、キーボード、マウス、タッチスクリーン、または、類似のデバイスを表してもよく、または、これらと対話してもよい。いくつかのケースでは、Ｉ／Ｏ制御装置７４５は、プロセッサの一部として実現してもよい。いくつかのケースでは、ユーザは、Ｉ／Ｏ制御装置７４５を介して、または、Ｉ／Ｏ制御装置７４５により制御されるハードウェアコンポーネントを介して、デバイス７０５と対話してもよい。
【０１５８】
［０１６５］
図８は、本開示の態様による、ワイヤレス通信のためのＷＵＳコンフィギュレーションをサポートするワイヤレスデバイス８０５のブロック図８００を示している。ワイヤレスデバイス８０５は、ここで説明するような基地局１０５の態様の例であってもよい。ワイヤレスデバイス８０５は、受信機８１０と、基地局通信マネージャ８１５と、送信機８２０とを含んでいてもよい。ワイヤレスデバイス８０５はまた、プロセッサを含んでいてもよい。これらのコンポーネントのそれぞれは、（例えば、１つ以上のバスを介して）互いに通信してもよい。
【０１５９】
［０１６６］
受信機８１０は、さまざまな情報チャネル（例えば、制御チャネル、データチャネル、および、ワイヤレス通信のためのＷＵＳコンフィギュレーションに関連する情報など）に関係する、パケット、ユーザデータ、または、制御情報のような、情報を受信してもよい。情報は、デバイスの他のコンポーネントに渡されてもよい。受信機８１０は、図１１を参照して説明するトランシーバ１１３５の態様の例であってもよい。受信機８１０は、単一のアンテナまたはアンテナのセットを利用してもよい。
【０１６０】
［０１６７］
基地局通信マネージャ８１５は、図１１を参照して説明する基地局通信マネージャ１１１５の態様の例であってもよい。基地局通信マネージャ８１５および／またはそのさまざまなサブコンポーネントのうちの少なくともいくつかは、ハードウェア、プロセッサにより実行されるソフトウェア、ファームウェア、または、これらの任意の組み合わせで実現してもよい。プロセッサにより実行されるソフトウェアで実現される場合、基地局通信マネージャ８１５および／またはそのさまざまなサブコンポーネントの少なくともいくつかの機能は、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは、本開示で説明する機能を実行するように設計されているこれらの任意の組み合わせにより実行してもよい。
【０１６１】
［０１６８］
基地局通信マネージャ８１５および／またはそのさまざまなサブコンポーネントのうちの少なくともいくつかは、機能の一部が、１つ以上の物理デバイスにより異なる物理的位置において実現されるように分散されることを含む、さまざまな位置に物理的に位置していてもよい。いくつかの例では、基地局通信マネージャ８１５および／またはそのさまざまなサブコンポーネントのうちの少なくともいくつかは、本開示のさまざまな態様による、別個の異なるコンポーネントであってもよい。他の例では、基地局通信マネージャ８１５および／またはそのさまざまなサブコンポーネントのうちの少なくともいくつかは、本開示のさまざまな態様による、限定はしないが、Ｉ／Ｏコンポーネント、トランシーバ、ネットワークサーバ、別のコンピューティングデバイス、本開示で説明する１つ以上の他のコンポーネント、または、これらの組み合わせを含む、１つ以上の他のハードウェアコンポーネントと組み合わせてもよい。
【０１６２】
［０１６９］
基地局通信マネージャ８１５は、ＷＵＳに関係するスケーリングファクタの表示をＵＥに送信してもよく、スケーリングファクタは、ＷＵＳに対する送信特性に基づいて決定される。追加的に、基地局通信マネージャ８１５は、ＷＵＳ時間期間の間に、ＷＵＳの送信特性にしたがっているＷＵＳをＵＥに送信してもよく、ＷＵＳ時間期間は、スケーリングファクタと関係する制御チャネル反復パラメータとに基づいて決定される。
【０１６３】
［０１７０］
送信機８２０は、デバイスの他のコンポーネントにより発生される信号を送信してもよい。いくつかの例では、送信機８２０は、トランシーバモジュール中の受信機８１０とコロケートさせてもよい。例えば、送信機８２０は、図１１を参照して説明するトランシーバ１１３５の態様の例であってもよい。送信機８２０は、単一のアンテナまたはアンテナのセットを利用してもよい。
【０１６４】
［０１７１］
図９は、本開示の態様による、ワイヤレス通信のためのＷＵＳコンフィギュレーションをサポートするワイヤレスデバイス９０５のブロック図９００を示している。ワイヤレスデバイス９０５は、図８を参照して説明したような、ワイヤレスデバイス８０５または基地局１０５の態様の例であってもよい。ワイヤレスデバイス９０５は、受信機９１０と、基地局通信マネージャ９１５と、送信機９２０とを含んでいてもよい。ワイヤレスデバイス９０５はまた、プロセッサを含んでいてもよい。これらのコンポーネントのそれぞれは、（例えば、１つ以上のバスを介して）互いに通信してもよい。
【０１６５】
［０１７２］
受信機９１０は、さまざまな情報チャネル（例えば、制御チャネル、データチャネル、および、ワイヤレス通信のためのＷＵＳコンフィギュレーションに関連する情報など）に関係する、パケット、ユーザデータ、または、制御情報のような、情報を受信してもよい。情報は、デバイスの他のコンポーネントに渡されてもよい。受信機９１０は、図１１を参照して説明するトランシーバ１１３５の態様の例であってもよい。受信機９１０は、単一のアンテナまたはアンテナのセットを利用してもよい。
【０１６６】
［０１７３］
基地局通信マネージャ９１５は、図１１を参照して説明する基地局通信マネージャ１１１５の態様の例であってもよい。基地局通信マネージャ９１５はまた、スケーリングファクタコンポーネント９２５と、表示送信機９３０と、期間送信機９３５と、ＷＵＳ送信機９４０とを含んでいてもよい。
【０１６７】
［０１７４］
スケーリングファクタコンポーネント９２５は、ＷＵＳに関係するスケーリングファクタを決定してもよく、スケーリングファクタは、ＷＵＳに対する送信特性に基づいており、ＵＥに対するＳＮＲを識別し、スケーリングファクタは、ＳＮＲに基づいて決定される。いくつかの態様では、送信特性は、ＷＵＳに対する送信電力、ＷＵＳに対する送信ダイバーシティスキーム、ＷＵＳ検出前のＵＥのレガシー同期信号検出、ＷＵＳと狭帯域基準信号との間の電力比、ＵＥに関係するＭＣＬ、または、これらの組み合わせを含んでいる。追加的または代替的に、ＳＮＲは、ＷＵＳと狭帯域基準信号との間の電力比に基づいて決定されてもよく、ＳＮＲに基づいて、ＷＵＳに対して、単一ポートＳＮＲが推定される。いくつかのケースでは、電力比は、ＥＰＲＥ電力比を含んでいる。いくつかの事例では、送信ダイバーシティスキームは、各パターンが固定基本単位の数と送信ダイバーシティディメンションとを規定する、固定パターンのパターンインデックスを含んでおり、または、固定基本単位の数と送信ダイバーシティディメンションとを含んでいる。追加的または代替的に、スケーリングファクタは、各パターンが固定基本単位の数と送信ダイバーシティディメンションとを規定する、固定パターンのパターンインデックスを含む、または、固定基本単位の数と送信ダイバーシティディメンションとを含む、送信ダイバーシティスキームに基づいている。いくつかのケースでは、固定基本単位は、サブフレーム、１ミリ秒ＴＴＩ、スロット、または、ミニスロットの数を含んでいる。
【０１６８】
［０１７５］
表示送信機９３０は、スケーリングファクタの表示をＵＥに送信し、ＷＵＳの送信のための送信ダイバーシティディメンションの表示をＵＥに送信してもよい。いくつかのケースでは、スケーリングファクタの表示は、ＷＵＳに対する送信スキームを含んでいる。いくつかの例では、スケーリングファクタの表示を送信することは、スケーリングファクタの表示、スケーリングファクタの値、または、これらの組み合わせを含む、ＳＩＢを送信することを含んでいてもよい。追加的に、ＳＩＢは、狭帯域基準信号とＷＵＳとの間の電力比を示す電力オフセットパラメータの表示を含んでいてもよい。
【０１６９】
［０１７６］
期間送信機９３５は、スケーリングファクタと関係する制御チャネル反復パラメータとの間の関係に基づいて、ＷＵＳの期間を決定し、ＷＵＳに対する要求された期間をＵＥに送信してもよく、要求された期間は、ＵＥに関係するターゲットＳＮＲまたはＭＣＬに基づいている。いくつかのケースでは、ＷＵＳの期間は、（例えば、ＷＵＳの最大期間に対する表を介して示されるような）ＷＵＳの最大期間、関係する狭帯域制御チャネルの反復の最大数、ＵＥに対する関係する狭帯域制御チャネルの反復の要求された数、または、これらの組み合わせに基づいて決定される。いくつかの例では、ＷＵＳの期間は、ＷＵＳの最大期間に対応している。いくつかの事例では、関係する制御チャネル反復パラメータは、ページングのための関係する狭帯域制御チャネルの反復の最大数に対応している。
【０１７０】
［０１７７］
ＷＵＳ送信機９４０は、ＷＵＳの期間の間に、ＷＵＳの送信特性にしたがっているＷＵＳをＵＥに送信してもよい。
【０１７１】
［０１７８］
送信機９２０は、デバイスの他のコンポーネントにより発生される信号を送信してもよい。いくつかの例では、送信機９２０は、トランシーバモジュール中の受信機９１０とコロケートさせてもよい。例えば、送信機９２０は、図１１を参照して説明するトランシーバ１１３５の態様の例であってもよい。送信機９２０は、単一のアンテナまたはアンテナのセットを利用してもよい。
【０１７２】
［０１７９］
図１０は、本開示の態様による、ワイヤレス通信のためのＷＵＳコンフィギュレーションをサポートする基地局通信マネージャ１０１５のブロック図１０００を示している。基地局通信マネージャ１０１５は、図８、図９、および、図１１を参照して説明する基地局通信マネージャ１１１５の態様の例であってもよい。基地局通信マネージャ１０１５は、スケーリングファクタコンポーネント１０２０と、表示送信機１０２５と、期間送信機１０３０と、ＷＵＳ送信機１０３５と、基準信号送信機１０４０と、ディメンションコンポーネント１０４５と、制御チャネルコンポーネント１０５０とを含んでいてもよい。これらのモジュールのそれぞれは、直接的または間接的に、（例えば、１つ以上のバスを介して）互いに通信してもよい。
【０１７３】
［０１８０］
スケーリングファクタコンポーネント１０２０は、ＷＵＳに関係するスケーリングファクタを決定してもよく、スケーリングファクタは、ＷＵＳに対する送信特性に基づいており、ＵＥに対するＳＮＲを識別し、スケーリングファクタは、ＳＮＲに基づいて決定される。いくつかの事例では、送信特性は、ＷＵＳに対する送信電力、ＷＵＳに対する送信ダイバーシティスキーム、ＷＵＳ検出前のＵＥのレガシー同期信号検出、ＷＵＳと狭帯域基準信号との間の電力比、ＵＥに関係するＭＣＬ、または、これらの組み合わせを含んでいる。追加的または代替的に、ＳＮＲは、ＷＵＳと狭帯域基準信号との間の電力比に基づいて決定されてもよく、ＳＮＲに基づいて、ＷＵＳに対して、単一ポートＳＮＲが推定される。いくつかのケースでは、電力比は、ＥＰＲＥ電力比を含んでいる。
【０１７４】
［０１８１］
いくつかの態様では、送信ダイバーシティスキームは、各パターンが固定基本単位の数と送信ダイバーシティディメンションとを規定する、固定パターンのパターンインデックスを含んでおり、または、固定基本単位の数と送信ダイバーシティディメンションの数とを含んでいる。追加的または代替的に、スケーリングファクタは、各パターンが固定基本単位の数と送信ダイバーシティディメンションを規定する、固定パターンのパターンインデックスを含む、または、固定基本単位の数と送信ダイバーシティディメンションとを含む、送信ダイバーシティスキームに基づいてもよい。いくつかのケースでは、固定基本単位は、サブフレーム、１ミリ秒ＴＴＩ、スロット、または、ミニスロットの数を含んでいる。スケーリングファクタコンポーネント１０２０は、情報１０５２を表示送信機１０２５に渡し、情報１０５４を期間送信機１０３０に渡してもよく、情報１０５２および１０５４は、決定されたスケーリングファクタを示している。
【０１７５】
［０１８２］
表示送信機１０２５は、（例えば、スケーリングファクタコンポーネント１０２０から受け取った情報１０５２から）スケーリングファクタの表示をＵＥに送信し、ＷＵＳの送信のための送信ダイバーシティディメンションの表示をＵＥに送信してもよい。例えば、表示送信機１０２５は、情報１０５２から受け取ったスケーリングファクタの表示を含む信号１０５６を送信機８２０または９２０に渡してもよい。いくつかの例では、スケーリングファクタの表示を送信することは、スケーリングファクタの表示、スケーリングファクタの値、または、これらの組み合わせを含む、ＳＩＢを送信することを含んでいる。追加的に、ＳＩＢは、狭帯域基準信号とＷＵＳとの間の電力比を示す電力オフセットパラメータの表示を含んでいてもよい。いくつかのケースでは、スケーリングファクタの表示は、ＷＵＳに対する送信スキームを含んでいる。
【０１７６】
［０１８３］
期間送信機１０３０は、（例えば、情報１０５４を介して示されるような）スケーリングファクタと関係する制御チャネル反復パラメータとの間の関係に基づいて、ＷＵＳの期間を決定し、ＵＥに対する要求された期間をＵＥに送信してもよく、要求された期間は、ＵＥに関係するターゲットＳＮＲまたはＭＣＬに基づいている。例えば、期間送信機１０３０は、ＷＵＳの期間、ＷＵＳの要求された期間、または、これらの組み合わせを含む信号１０６０を送信機８２０または９２０に渡してもよい。いくつかのケースでは、ＷＵＳの期間は、（例えば、ＷＵＳの最大期間のための表を介して示されるような）ＷＵＳの最大期間、関係する狭帯域制御チャネルの反復の最大数、ＵＥに対する関係する狭帯域制御チャネルの反復の要求された数、または、これらの組み合わせに基づいて決定される。いくつかの態様では、ＷＵＳの期間は、ＷＵＳの最大期間に対応している。いくつかの例では、関係する制御チャネル反復パラメータは、ページングのための関係する狭帯域制御チャネルの反復の最大数に対応している。期間送信機１０３０は、ＷＵＳの決定された期間を示す情報１０５８をＷＵＳ送信機１０３５に渡してもよい。
【０１７７】
［０１８４］
ＷＵＳ送信機１０３５は、（例えば、情報１０５８中に含まれている決定された期間の表示に基づいて）ＷＵＳの期間の間に、ＷＵＳの送信特性にしたがっているＷＵＳをＵＥに送信してもよい。例えば、ＷＵＳ送信機は、決定された期間を有するＷＵＳを含んでいる信号１０６２を送信機８２０または９２０に渡してもよい。
【０１７８】
［０１８５］
基準信号送信機１０４０は、基準信号をＵＥに送信してもよく、ＷＵＳの期間は、基準信号の信号品質と検出しきい値の確率とに基づいている。例えば、基準信号送信機１０４０は、基準信号を含んでいる信号１０６４を送信機８２０または９２０に渡してもよい。いくつかのケースでは、基準信号は、狭帯域基準信号またはセル特有基準信号を含んでいる。追加的に、基準信号送信機１０４０は、基準信号を含んでいる情報１０６６を期間送信機１０３０に渡してもよく、期間は、基準信号の信号品質に部分的に基づいている。
【０１７９】
［０１８６］
ディメンションコンポーネント１０４５は、構成された単位ごとに１つのアンテナポート上で切り替わるアンテナの数に、または、構成された単位ごとにすべてのアンテナポート上で切り替わるアンテナポートの数に基づいて、送信ダイバーシティディメンションを決定してもよく、構成された単位は、ＷＵＳ送信に対する固定基本単位の数を含んでいる。いくつかのケースでは、ディメンションコンポーネント１０４５は、情報１０６８を表示送信機１０２５に渡して、ＷＵＳのための送信ダイバーシティディメンションを示してもよく、表示送信機１０２５は、（例えば、信号１０５６を介して）送信ダイバーシティディメンションの表示をＵＥに送信する。
【０１８０】
［０１８７］
制御チャネルコンポーネント１０５０は、ＳＩＢ中で、狭帯域制御チャネル上の送信の反復の最大数を送信してもよく、ＷＵＳの期間は、狭帯域制御チャネル上の送信の反復の最大数に基づいている。例えば、制御チャネルコンポーネント１０５０は、関係する狭帯域制御チャネルの反復の最大数を含んでいる信号１０７０を送信機８２０または９２０に渡していてもよい。追加的に、制御チャネルコンポーネント１０５０は、情報１０７２を期間送信機１０３０に渡してもよく、ＷＵＳの期間は、上記のように、関係する狭帯域制御チャネルの反復の最大数に部分的に基づいている。
【０１８１】
［０１８８］
図１１は、本開示の態様による、ワイヤレス通信のためのＷＵＳコンフィギュレーションをサポートするデバイス１１０５を含むシステム１１００の図を示している。デバイス１１０５は、例えば、図１を参照して上記で説明したような、基地局１０５のコンポーネントの例であってもよく、または、これを含んでいてもよい。デバイス１１０５は、基地局通信マネージャ１１１５、プロセッサ１１２０、メモリ１１２５、ソフトウェア１１３０、トランシーバ１１３５、アンテナ１１４０、ネットワーク通信マネージャ１１４５、および、局間通信マネージャ１１５０を含む、通信を送信および受信するためのコンポーネントを含む、双方向音声およびデータ通信のためのコンポーネントを含んでいてもよい。これらのコンポーネントは、１つ以上のバス（例えば、バス１１１０）を介して電子通信してもよい。デバイス１１０５は、１つ以上のＵＥ１１５とワイヤレスに通信してもよい。
【０１８２】
［０１８９］
プロセッサ１１２０は、インテリジェントハードウェアデバイス（例えば、汎用プロセッサ、ＤＳＰ、ＣＰＵ、マイクロ制御装置、ＡＳＩＣ、ＦＰＧＡ、プログラマブル論理デバイス、ディスクリートゲートまたはトランジスタ論理コンポーネント、ディスクリートハードウェアコンポーネント、あるいは、これらの任意の組み合わせ）を含んでいてもよい。いくつかのケースでは、プロセッサ１１２０は、メモリ制御装置を使用して、メモリアレイを動作させるように構成されていてもよい。他のケースでは、メモリ制御装置は、プロセッサ１１２０に統合してもよい。プロセッサ１１２０は、メモリに記憶されているコンピュータ読取可能命令を実行して、さまざまな機能（例えば、ワイヤレス通信のためのＷＵＳコンフィギュレーションをサポートする機能またはタスク）を実行するように構成されていてもよい。
【０１８３】
［０１９０］
メモリ１１２５は、ＲＡＭおよびＲＯＭを含んでいてもよい。メモリ１１２５は、実行されたとき、プロセッサに、ここで説明するさまざまな機能を実行させる命令を含む、コンピュータ読取可能、コンピュータ実行可能ソフトウェア１１３０を記憶していてもよい。いくつかのケースでは、メモリ１１２５は、とりわけ、周辺コンポーネントまたはデバイスとの対話のような基本的なハードウェアまたはソフトウェア動作を制御してもよいＢＩＯＳを含んでいてもよい。
【０１８４】
［０１９１］
ソフトウェア１１３０は、ワイヤレス通信のためのＷＵＳコンフィギュレーションをサポートするためのコードを含む、本開示の態様を実現するためのコードを含んでいてもよい。ソフトウェア１１３０は、システムメモリまたは他のメモリのような、非一時的コンピュータ読取可能媒体中に記憶されていてもよい。いくつかのケースでは、ソフトウェア１１３０は、プロセッサにより直接実行可能でなくてもよいが、（例えば、コンパイルされ実行されたときに）ここで説明する機能をコンピュータに実行させてもよい。
【０１８５】
［０１９２］
トランシーバ１１３５は、上述のように、１本以上のアンテナ、有線リンク、または、ワイヤレスリンクを介して双方向に通信してもよい。例えば、トランシーバ１１３５は、ワイヤレストランシーバを表していてもよく、別のワイヤレストランシーバと双方向に通信してもよい。トランシーバ１１３５はまた、パケットを変調し、変調されたパケットを送信のためにアンテナに提供し、アンテナから受け取ったパケットを復調するモデムを含んでいてもよい。
【０１８６】
［０１９３］
いくつかのケースでは、ワイヤレスデバイスは、単一のアンテナ１１４０を含んでいてもよい。しかしながら、いくつかのケースでは、デバイスは、複数のワイヤレス送信を同時に送信または受信することができてもよい、１本より多いアンテナ１１４０を有していてもよい。
【０１８７】
［０１９４］
ネットワーク通信マネージャ１１４５は、（例えば、１つ以上のワイヤードバックホールリンクを介しての）コアネットワークとの通信を管理してもよい。例えば、ネットワーク通信マネージャ１１４５は、１つ以上のＵＥ１１５のような、クライアントデバイスに対するデータ通信の転送を管理してもよい。
【０１８８】
［０１９５］
局間通信マネージャ１１５０は、他の基地局１０５との通信を管理してもよく、他の基地局１０５と協同してＵＥ１１５との通信を制御するための制御装置またはスケジューラを含んでいてもよい。例えば、局間通信マネージャ１１５０は、ビーム形成またはジョイント送信のような、さまざまな干渉緩和技法のために、ＵＥ１１５への送信のためのスケジューリングを調整してもよい。いくつかの例では、局間通信マネージャ１１５０は、ＬＴＥ／ＬＴＥ−Ａ／ＬＴＥ−Ａプロワイヤレス通信ネットワーク技術内にＸ２インターフェースを提供して、基地局１０５間の通信を提供してもよい。
【０１８９】
［０１９６］
図１２は、本開示の態様による、ワイヤレス通信のためのＷＵＳコンフィギュレーションのための方法１２００を示すフローチャートを示している。方法１２００の動作は、ここで説明するように、ＵＥ１１５またはそのコンポーネントにより実現してもよい。例えば、方法１２００の動作は、図４〜図７を参照して説明したような、ＵＥ通信マネージャにより実行してもよい。いくつかの例では、ＵＥ１１５は、デバイスの機能要素を制御するためのコードのセットを実行して、以下で説明する機能を実行してもよい。追加的または代替的に、ＵＥ１１５は、特殊目的ハードウェアを使用して、以下で説明する機能の態様を実行してもよい。
【０１９０】
［０１９７］
１２０５において、ＵＥ１１５は、ＷＵＳに関係するスケーリングファクタの表示を基地局から受信してもよく、スケーリングファクタは、ＷＵＳ送信特性に基づいている。例えば、ＵＥ１１５は、スケーリングファクタの表示がセルにサービスする基地局１０５から（例えば、ＳＩＢ中で）送信されるかもしれない時間周波数リソースを識別してもよい。ＵＥ１１５は、これらの時間周波数リソース上での送信を復調し、復調された送信をデコードして、スケーリングファクタを示すビットを得てもよい。１２０５の動作は、ここで説明する方法にしたがって実行してもよい。いくつかの例では、１２０５の動作の態様は、図４〜図７を参照して説明したような、表示コンポーネントにより実行してもよい。
【０１９１】
［０１９８］
１２１０において、ＵＥ１１５は、ＷＵＳ時間期間の間に、ＷＵＳ送信特性にしたがっているＷＵＳを基地局から受信してもよく、ＷＵＳ時間期間は、スケーリングファクタと関係する制御チャネル反復パラメータとに基づいて決定される。例えば、ＵＥ１１５は、ＷＵＳがセルにサービスする基地局１０５から（例えば、ＮＰＤＣＣＨ中で）送信されるかもしれない時間周波数リソースを識別してもよい。ＵＥ１１５は、これらの時間周波数リソース上での送信を復調し、復調された送信をデコードして、ＷＵＳを示すビットを得てもよい。追加的に、ＵＥ１１５は、関係する制御チャネル反復パラメータとスケーリングファクタとの比に基づいて、ＷＵＳの最大期間を決定してもよい。他のケースでは、ＵＥ１１５は、ＷＵＳの最大期間、関係する狭帯域制御チャネルの反復の最大数、ＵＥに対する関係する狭帯域制御チャネルの反復の要求された数、または、これらの組み合わせに基づいて、ＷＵＳの期間を決定してもよい。追加的に、ＵＥ１１５は、受信したＷＵＳに基づいて、スケジューリング情報のために、基地局からのダウンリンクチャネルを監視してもよく、スケジューリング情報は、基地局１０５からのページングメッセージのための情報を含んでいる。１２１０の動作は、ここで説明する方法にしたがって実行してもよい。ある例では、１２１５の動作の態様は、図４〜図７を参照して説明したような、ＷＵＳコンポーネントにより実行してもよい。
【０１９２】
［０１９９］
図１３は、本開示の態様による、ワイヤレス通信のためのＷＵＳコンフィギュレーションのための方法１３００を示すフローチャートを示している。方法１３００の動作は、ここで説明するような、基地局１０５またはそのコンポーネントにより実現してもよい。例えば、方法１３００の動作は、図８〜図１１を参照して説明したような、基地局通信マネージャにより実行してもよい。いくつかの例では、基地局１０５は、デバイスの機能要素を制御するためのコードのセットを実行して、以下で説明する機能を実行してもよい。追加的または代替的に、基地局１０５は、特殊目的ハードウェアを使用して、以下で説明する機能の態様を実行してもよい。
【０１９３】
［０２００］
１３０５において、基地局１０５は、ＷＵＳに関係するスケーリングファクタの表示をＵＥ１１５に送信してもよく、スケーリングファクタは、ＷＵＳ送信特性に基づいて決定される。例えば、基地局１０５は、スケーリングファクタの表示を示すビットをエンコードし、スケーリングファクタの表示が送信されるべき時間周波数リソースを識別し、識別した時間周波数リソース上で送信を変調してもよい。追加的に、基地局１０５は、ＷＵＳ送信特性に基づいて、スケーリングファクタを決定してもよく、ＷＵＳ送信特性は、ＷＵＳ送信電力、ＷＵＳ送信ダイバーシティスキーム、ＷＵＳ検出前のＵＥのレガシー同期信号検出の表示、ＷＵＳと狭帯域基準信号との間の電力比、ＵＥに関係するＭＣＬ、または、これらの組み合わせを含んでいてもよい。１３０５の動作は、ここで説明する方法にしたがって実行してもよい。いくつかの例では、１３１０の動作の態様は、図８〜図１１を参照して説明したような、表示送信機により実行してもよい。
【０１９４】
［０２０１］
１３１０において、基地局１０５は、ＷＵＳ時間期間の間に、ＷＵＳの送信特性にしたがっているＷＵＳをＵＥ１１５に送信してもよく、ＷＵＳ時間期間は、スケーリングファクタと関係する制御チャネル反復パラメータとの間の関係に基づいて決定される。例えば、基地局１０５は、ＷＵＳを示すビットをエンコードし、ＷＵＳが送信されるべき時間周波数リソースを識別し、識別した時間周波数リソース上で送信を変調してもよい。追加的に、基地局１０５は、関係する制御チャネル反復パラメータとスケーリングファクタとの比に基づいて、ＷＵＳの最大期間を決定してもよい。他のケースでは、基地局１０５は、ＷＵＳの最大期間、関係する狭帯域制御チャネルの反復の最大数、ＵＥに対する関係する狭帯域制御チャネルの反復の要求された数、または、これらの組み合わせに基づいて、ＷＵＳの期間を決定してもよい。１３１０の動作は、ここで説明する方法にしたがって実行してもよい。いくつかの例では、１３２０の動作の態様は、図８〜図１１を参照して説明したような、ＷＵＳ送信機により実行してもよい。
【０１９５】
［０２０２］
上記で説明した方法は、可能な実現形態を説明し、動作およびステップは、並べ替えてもよく、または、さもなければ修正してもよく、他の実現形態が可能であることに留意されたい。追加的に、方法のうちの２つ以上の態様を組み合わせてもよい。
【０１９６】
［０２０３］
ここで説明する技法は、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、および、他のシステムなど、さまざまなワイヤレス通信システムのために使用してもよい。ＣＤＭＡシステムは、ＣＤＭＡ２０００、ユニバーサル地上無線アクセス（ＵＴＲＡ）のような無線技術を実現してもよく、ＣＤＭＡ２０００は、ＩＳ−２０００標準規格、ＩＳ−９５標準規格、および、ＩＳ−８５６標準規格をカバーする。ＩＳ−２０００リリースは、一般的に、ＣＤＭＡ２０００  １Ｘ、１Ｘなどとして呼ばれることもある。ＩＳ−８５６（ＴＩＡ−８５６）は、一般的にＣＤＭＡ２０００  １ｘＥＶ−ＤＯ、高速パケットデータ（ＨＲＰＤ）などと呼ばれ、ＵＴＲＡは、広帯域ＣＤＭＡ（ＷＣＤＭＡ（登録商標））およびＣＤＭＡの他の変形形態を含んでいる。ＴＤＭＡシステムは、移動体通信用のグローバルシステム（ＧＳＭ（登録商標））のような無線技術を実現してもよい。
【０１９７】
［０２０４］
ＯＦＤＭＡシステムは、ウルトラモバイルブロードバンド（ＵＭＢ）、発展型ＵＴＲＡ（Ｅ−ＵＴＲＡ）、電気電子技術者協会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭのような無線技術を実現してもよく、ＵＴＲＡおよびＥ−ＵＴＲＡは、ユニバーサル移動体電気通信システム（ＵＭＴＳ）の一部である。ＬＴＥ、ＬＴＥ−ＡおよびＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、および、ＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）という名称の組織からの文書に記載されている。ここで説明する技法は、上述のシステムおよび無線技術、ならびに、他のシステムおよび無線技術のために使用してもよい。ＬＴＥ、ＬＴＥ−Ａ、ＬＴＥ−ＡプロまたはＮＲシステムの態様は、例のために説明されているかもしれず、ＬＴＥ、ＬＴＥ−Ａ、ＬＴＥ−ＡプロまたはＮＲ用語は、説明の大部分において使用しているかもしれないが、ここで説明する技法は、ＬＴＥ、ＬＴＥ−Ａ、ＬＴＥ−ＡプロまたはＮＲアプリケーションを超えて適用可能である。
【０１９８】
［０２０５］
マクロセルは、一般的に、比較的大きい地理的エリア（例えば、半径が数キロメートル）をカバーし、ネットワークプロバイダのサービスに加入しているＵＥ１１５による無制限アクセスを可能にしてもよい。スモールセルは、マクロセルと比較して、より低電力の基地局１０５に関係しているかもしれず、スモールセルは、マクロセルと同じまたは異なる（例えば、ライセンスされている、ライセンスされていないなど）周波数帯域において動作してもよい。スモールセルは、さまざまな例にしたがって、ピコセル、フェムトセル、および、マイクロセルを含んでいてもよい。ピコセルは、例えば、小さい地理的エリアをカバーしてもよく、ネットワークプロバイダのサービスに加入しているＵＥ１１５による無制限アクセスを可能にしてもよい。フェムトセルはまた、小さい地理的エリア（例えば、自宅）をカバーしてもよく、フェムトセルとの関係を有するＵＥ１１５（例えば、閉じられた加入者グループ（ＣＳＧ）中のＵＥ１１５、自宅内のユーザのためのＵＥ１１５、これらに類するもの）による制限されたアクセスを提供してもよい。マクロセルのためのｅＮＢは、マクロｅＮＢとして呼ばれることもある。スモールセルのためのｅＮＢは、スモールセルｅＮＢ、ピコｅＮＢ、フェムトｅＮＢ、または、ホームｅＮＢとして呼ばれることもある。ｅＮＢは、１つ以上の（例えば、２、３、４のような）セルをサポートしてもよく、また、１つ以上のコンポーネント搬送波を使用して通信をサポートしてもよい。
【０１９９】
［０２０６］
ここで説明したワイヤレス通信システム１００またはシステムは、同期動作または非同期動作をサポートしてもよい。同期動作の場合、基地局１０５は、同様のフレームタイミングを有してもよく、異なる基地局１０５からの送信は、時間的にほぼ整列される。非同期動作の場合、基地局１０５は、異なるフレームタイミングを有してもよく、異なる基地局１０５からの送信は、時間的に整列されないことがある。
【０２００】
［０２０７］
ここで説明した情報および信号は、さまざまな異なる技術および技法のうちの何れかを使用して表されているかもしれない。例えば、上記の説明全体に渡って参照されているかもしれない、データ、命令、コマンド、情報、信号、ビット、シンボル、および、チップは、電圧、電流、電磁波、磁界または磁粒、光界または光粒、あるいは、これらの任意の組み合わせにより表されているかもしれない。
【０２０１】
［０２０８］
ここでの開示に関連して説明した、さまざまな例示的なブロックおよびモジュールは、ここで説明した機能を実行するように設計された、汎用プロセッサ、ＤＳＰ、ＡＳＩＣ、ＦＰＧＡまたは他のプログラム可能論理デバイス、ディスクリートゲートまたはトランジスタ論理、ディスクリートハードウェアコンポーネント、あるいは、これらの任意の組み合わせを用いて、実現または実行してもよい。汎用プロセッサはマイクロプロセッサであってもよいが、代替実施形態では、プロセッサは、任意の従来のプロセッサ、制御装置、マイクロ制御装置、または、状態機械であってもよい。プロセッサはまた、コンピューティングデバイスの組み合わせ（例えば、ＤＳＰとマイクロプロセッサの組み合わせ、複数のマイクロプロセッサ、ＤＳＰのコアと関連する１つ以上のマイクロプロセッサ、または、他の何らかのこのようなコンフィギュレーション）として実現してもよい。
【０２０２】
［０２０９］
ここで説明した機能は、ハードウェア、プロセッサにより実行されるソフトウェア、ファームウェア、または、これらの任意の組み合わせで実現してもよい。プロセッサにより実行されるソフトウェアで実現する場合、機能は、１つ以上の命令またはコードとしてコンピュータ読取可能媒体上に記憶され、あるいは、これを通して送信されてもよい。他の例およびインプリメンテーションは、本開示および添付の特許請求の範囲内にある。例えば、ソフトウェアの性質により、上記に説明した機能は、プロセッサにより実行されるソフトウェア、ハードウェア、ファームウェア、ハードワイヤリング、または、これらの任意の組み合わせを使用して実現してもよい。機能を実現する特徴はまた、機能の一部分が異なる物理的位置において実現されるように分散させることを含む、さまざまな位置において物理的に位置付けられていてもよい。
【０２０３】
［０２１０］
コンピュータ読取可能媒体は、１つの場所から別の場所へのコンピュータプログラムの転送を促進する任意の媒体を含む、非一時的コンピュータ記憶媒体および通信媒体の両方を含んでいる。非一時的記憶媒体は、汎用または特殊目的コンピュータによりアクセスしてもよい任意の利用可能な媒体であってもよい。限定ではなく例として、非一時的コンピュータ読取可能媒体は、ＲＡＭ、ＲＯＭ、電気的消去可能プログラム可能リードオンリーメモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用することができ、汎用または特殊目的コンピュータ、あるいは、汎用または特殊目的プロセッサによりアクセスしてもよい他の何らかの非一時的媒体を備えることができる。また、任意の接続は、コンピュータ読取可能媒体と適切に呼ばれる。例えば、ソフトウェアが、同軸ケーブル、光ファイバーケーブル、ツイストペア、デジタル加入者線（ＤＳＬ）、あるいは、赤外線、無線、およびマイクロ波のようなワイヤレス技術を使用して、ウェブサイト、サーバ、または、他の遠隔ソースから送信される場合、同軸ケーブル、光ファイバーケーブル、ツイストペア、ＤＳＬ、あるいは、赤外線、無線、およびマイクロ波のようなワイヤレス技術は、媒体の定義に含まれる。ここで使用したようなディスク（ｄｉｓｋおよびｄｉｓｃ）は、ＣＤ、レーザーディスク（登録商標）、光ディスク、デジタル汎用ディスク（ＤＶＤ）、フロッピー（登録商標）ディスクおよびブルーレイ（登録商標）ディスクを含むが、通常、ディスク（ｄｉｓｋ）は通常データを磁気的に再生する一方で、ディスク（ｄｉｓｃ）はデータをレーザにより光学的に再生する。上記の組み合わせもまた、コンピュータ読取可能媒体の範囲内に含まれる。
【０２０４】
［０２１１］
特許請求の範囲を含め、ここで使用するように、項目のリスト（例えば、「のうちの少なくとも１つ」または「のうちの１つ以上」のようなフレーズにより始まる項目のリスト）中で使用する「または」は、例えば、「Ａ、Ｂ、または、Ｃ、のうちの少なくとも１つ」のリストが、ＡまたはＢまたはＣあるいはＡＢまたはＡＣまたはＢＣあるいはＡＢＣ（すなわち、ＡとＢとＣ）を意味するように、包括的なリストを示している。ここで使用するように、フレーズ「に基づいて」は、条件の閉じたセットへの参照として解釈すべきではない。例えば、「条件Ａに基づく」のように説明する例示的なステップは、本開示の範囲から逸脱することなく、条件Ａおよび条件Ｂの両方に基づいていてもよい。言い換えると、ここで使用するように、フレーズ「基づいて」は、フレーズ「に少なくとも部分的に基づいて」と同じ方法で解釈すべきである。
【０２０５】
［０２１２］
添付の図では、同様のコンポーネントまたは特徴は、同じ参照ラベルを有しているかもしれない。追加的に、同じタイプのさまざまなコンポーネントは、参照ラベルにより、および、類似のコンポーネント間を区別する第２のラベルにより区別されているかもしれない。第１の参照ラベルのみを本明細書で使用している場合、説明は、第２の参照ラベルにかかわらず、第１の参照ラベルを有する同様のコンポーネントの何れか１つ、または、他の後続の参照ラベルに適用可能である。
【０２０６】
［０２１３］
添付の図面に関連して、ここで説明する説明は、例示的なコンフィギュレーションを記載し、実現してもよい、または、特許請求の範囲内に入るすべての例を表すものではない。本明細書で使用している「例示的な」という用語は、「好ましい」または「他の例よりも有利である」という用語ではなく、「例、事例、または、例示の役割を果たす」ことを意味する。詳細な説明は、記載された技法の理解を提供する目的のための具体的な詳細を含んでいる。しかしながら、これらの技法は、これらの具体的な詳細なしに実施してもよい。いくつかの例では、説明した例の概念を不明瞭にすることを避けるために、周知の構造およびデバイスがブロック図の形態で示されている。
【０２０７】
［０２１４］
本明細書の説明は、当業者が本開示を作成または使用することを可能にするために提供されている。本開示のさまざまな修正は、当業者には容易に明らかであり、本明細書で定義される一般的な原理は、本開示の範囲から逸脱することなく他の変形例に適用してもよい。したがって、本開示は、ここで説明する例および設計に限定されず、本明細書で開示される原理および新規の特徴と一致する最も広い範囲を与えられるべきである。
【図１】
2021507632.tif 000016
【図２】
2021507632.tif 000017
【図３】
2021507632.tif 000018
【図４】
2021507632.tif 000019
【図５】
2021507632.tif 000020
【図６】
2021507632.tif 000021
【図７】
2021507632.tif 000022
【図８】
2021507632.tif 000023
【図９】
2021507632.tif 000024
【図１０】
2021507632.tif 000025
【図１１】
2021507632.tif 000026
【図１２】
2021507632.tif 000027
【図１３】
2021507632.tif 000028
【国際調査報告】
2021507632.tif 000029
2021507632.tif 000030
2021507632.tif 000031